(57)【要約】  溶剤ベース又は油ベースのインクビヒクルに調合するのに適したＩＲ吸収性フタロシアニン染料が開示される。フタロシアニンは１つ又は複数のスルホン酸基を含み、少なくとも１つのスルホン酸基の対イオンはホスホニウムカチオンである。スルホン化されたガリウムナフタロシアニンのホスホニウム塩はこのような染料を例示する。 2010506962.tif 000009【選択図】図１
2010506962.tif 000002
【特許請求の範囲】
【請求項１】
溶剤ベース又は油ベースのインクビヒクルに調合するのに適したＩＲ吸収性フタロシアニン染料であって、前記フタロシアニンが１つ又は複数のスルホン酸基を含み、少なくとも１つのスルホン酸基の対イオンがホスホニウムカチオンである染料。
【請求項２】
複数のスルホン酸基を含む、請求項１に記載の染料。
【請求項３】
対応する複数のホスホニウム対イオンを含む、請求項２に記載の染料。
【請求項４】
ナフタロシアニンである、請求項１に記載の染料。
【請求項５】
前記ホスホニウムカチオン又はそれぞれの前記ホスホニウムカチオンが式：Ｐ＋（Ｒｍ）（Ｒｎ）（Ｒｓ）（Ｒｔ）を有し、Ｒｍ、Ｒｎ、Ｒｓ及びＲｔがそれぞれ独立に、Ｃ１〜３０アルキル、Ｃ５〜１２アリール及びＣ５〜３０アリールアルキルから選択された、請求項１に記載の染料。
【請求項６】
Ｒｍ、Ｒｎ、Ｒｓ及びＲｔのうちの少なくとも１つが５つ以上の炭素原子を含む、請求項５に記載の染料。
【請求項７】
式（１）を有する請求項１に記載の染料であって、
【化１】
2010506962.tif 000008
ＭがＧａ（Ａ１）、
Ａ１が、−ＯＨ、ハロゲン、−ＯＲ３、−ＯＣ（Ｏ）Ｒ４又は−Ｏ（ＣＨ２ＣＨ２Ｏ）ｅＲｅから選択されたアキシアル配位子であり、ｅが２から１０までの整数、Ｒｅが、Ｈ、Ｃ１〜８アルキル又はＣ（Ｏ）Ｃ１〜８アルキルであり、
Ｒ１及びＲ２が互いに同じでも又は異なっていてもよく、水素又はＣ１〜１２アルコキシから選択され、
Ｒ３が、Ｃ１〜１２アルキル、Ｃ５〜１２アリール、Ｃ５〜１２アリールアルキル又はＳｉ（Ｒｘ）（Ｒｙ）（Ｒｚ）から選択され、
Ｒ４が、Ｃ１〜１２アルキル、Ｃ５〜１２アリール又はＣ５〜１２アリールアルキルから選択され、
Ｒｘ、Ｒｙ及びＲｚが互いに同じでも又は異なっていてもよく、Ｃ１〜１２アルキル、Ｃ５〜１２アリール、Ｃ５〜１２アリールアルキル、Ｃ１〜１２アルコキシ、Ｃ５〜１２アリールオキシ又はＣ５〜１２アリールアルコキシから選択され、
Ｚ＋がホスホニウムカチオンである
染料。
【請求項８】
Ｚ＋が式：Ｐ＋（Ｒｍ）（Ｒｎ）（Ｒｓ）（Ｒｔ）を有し、Ｒｍ、Ｒｎ、Ｒｓ及びＲｔがそれぞれ独立に、Ｃ１〜３０アルキル、Ｃ５〜１２アリール及びＣ５〜３０アリールアルキルから選択された、請求項７に記載の染料。
【請求項９】
Ｒｍ、Ｒｎ、Ｒｓ及びＲｔのうちの少なくとも１つが５つ以上の炭素原子を含む、請求項７に記載の染料。
【請求項１０】
Ｒｍ、Ｒｎ、Ｒｓ及びＲｔのうちの少なくとも３つが５つ以上の炭素原子を含む、請求項７に記載の染料。
【請求項１１】
Ｒｍ、Ｒｎ、Ｒｓ及びＲｔのうちの少なくとも３つが独立にＣ４〜３０アルキル基から選択された、請求項７に記載の染料。
【請求項１２】
Ｒ１とＲ２がともに水素である、請求項１に記載の染料。
【請求項１３】
ＭがＧａ（ＯＨ）である、請求項１に記載の染料。
【請求項１４】
請求項１に記載の染料を含む溶剤ベース又は油ベースのインク。
【請求項１５】
インク供給源と、印刷版と、前記インク供給源からのインクを前記版上へ配置する手段とを備え、前記インクが請求項１に記載の染料を含むアナログプリンタ又はアナログプリンタのモジュール。
【請求項１６】
請求項１に記載の染料がその表面又はその内部に配置された被印刷物。
【請求項１７】
製品アイテムのラベル、包装又は表面である、請求項１に記載の被印刷物。
【請求項１８】
符号化された被印刷物と対話するシステムであって、
人間が読み取ることができる情報と機械が読み取ることができる符号化されたデータとがその表面又はその内部に配置された被印刷物と、
前記機械が読み取ることができる符号化されたデータを読み取る感知装置と
を備え、前記符号化されたデータが請求項１に記載の染料を含む
システム。
【請求項１９】
リクエストされたアクションを印刷された被印刷物を介してコンピュータシステム内で開始する方法であって、前記被印刷物が、人間が読み取ることができる情報と機械が読み取ることができる符号化されたデータとを含み、前記方法が、
前記被印刷物に対する動作位置に感知装置を配置するステップと、
前記符号化されたデータの少なくとも一部を感知するステップと、
前記リクエストされたアクションを前記コンピュータが識別することを可能にする指示データを、前記感知された符号化されたデータの少なくとも一部を使用して前記感知装置内に生成するステップと、
前記指示データを前記コンピュータシステムに送るステップと
を含み、前記符号化されたデータが請求項１に記載の染料を含む
方法。
【請求項２０】
製品アイテムと対話する方法であって、前記製品アイテムが、人間が読み取ることができる情報と機械が読み取ることができる符号化されたデータとを含む印刷された表面を有し、前記方法が、
前記被印刷物に対する動作位置に感知装置を配置するステップと、
前記符号化されたデータの少なくとも一部を感知するステップと、
前記対話に関するパラメータを前記コンピュータが識別することを可能にする指示データを、前記感知された符号化されたデータの少なくとも一部を使用して前記感知装置内に生成するステップと、
前記指示データを前記コンピュータシステムに送るステップと
を含み、前記符号化されたデータが請求項１に記載の染料を含む
方法。
【発明の詳細な説明】
【発明の詳細な説明】
【０００１】
［発明の分野］
本出願は、ナフタロシアニンなどのフタロシアニン染料に関する。本出願は主に、アナログ印刷に適した油ベースのインク中のＩＲ吸収性フタロシアニン染料の吸収特性を最適化するために開発された。
【０００２】
［発明の背景］
ＩＲ吸収性染料には、光学記録システム、サーマルライティングディスプレイ（ｔｈｅｒｍａｌ  ｗｒｉｔｉｎｇ  ｄｉｓｐｌａｙ）、レーザフィルタ、赤外線写真、医療用途、印刷など多くの用途がある。一般に、これらの用途に使用される染料は、近ＩＲの半導体レーザの発光波長（例えば約７００から２０００ｎｍ、好ましくは約７００から１０００ｎｍ）において強い吸収を有することが望ましい。例えば光学記録技術では、ガリウムアルミニウムヒ素（ＧｅＡｌＡｓ）及びインジウムリン（ＩｎＰ）ダイオードレーザが光源として広く使用されている。
【０００３】
ＩＲ染料の他の重要な用途は、印刷インクなどのインクである。印刷された書式（ｐｒｉｎｔｅｄ  ｆｏｒｍ）内のデジタル情報の記憶及び取出しは特に重要である。この技術のよく知られた例はスキャニング可能な印刷されたバーコードの使用である。バーコードは一般に、特定の製品に関連付けられたタグ又はラベル上に印刷され、識別、価格などその製品に関する情報を含む。バーコードは通常、目に見える黒色インクの線として印刷され、スキャナからの可視光を使用して検出される。スキャナは一般に、ＬＥＤ又はレーザ（例えば６３３ｎｍで発光するＨｅＮｅレーザ）光源と、反射光を検出する光電池とを備える。バーコードインク中での使用に適した黒色染料は例えば国際公開第ＷＯ０３／０７４６１３号パンフレットに記載されている。
【０００４】
しかしながら、この技術の他の用途（例えばセキュリティタグ付け（ｓｅｃｕｒｉｔｙ  ｔａｇｇｉｎｇ））では、肉眼では見えないが、ＵＶ又はＩＲ光下では検出することができるインクを使用して印刷されたバーコード或いは他の分かりやすいマークを有することが望ましい。
【０００５】
不可視だが検出可能なインクの特に重要な用途は、自動識別システム、特に「ネットページ（ｎｅｔｐａｇｅ）」及び「Ｈｙｐｅｒｌａｂｅｌ（商標）」システムである。ネットページシステムは、上記の相互参照のセクションに詳細が記された特許及び特許出願に記載されている。
【０００６】
同時係属のこれらのすべての特許／特許出願の開示は参照によって本明細書に組み込まれる。一部の特許出願は暫定的に事件整理番号によって識別される。それらの番号は、出願番号が使用可能になったときに出願番号に置き換えられる。
【０００７】
一般に、ネットページシステムは、ネットページの生成及び人とネットページとの対話に依存する。ネットページは、テキスト、グラフィック及び画像からなり、通常の紙に印刷されたページではあるが、双方向性ウェブページと同様に機能するページである。情報は、実質的に不可視のインクを使用してそれぞれのページに符号化される。しかしながら、このインク、したがって符号化されたデータは、光学画像化ペンによって感知することができ、ネットページシステムに送信することができる。
【０００８】
情報をネットワークにリクエストし、又はネットワークサーバにプリファランス（ｐｒｅｆｅｒｅｎｃｅ）を伝えるために、それぞれのページ上のアクティブボタン及びハイパーリンクをこのペンでクリックすることができる。いくつかの形態では、ネットページ上の手書きのテキストを、ネットページシステム内で自動的に認識し、コンピュータテキストに変換することができ、これによって書式に記入することができる。他の形態では、ネットページ上に記録された署名を自動的に照合することができ、これによってｅコマーストランザクションを安全に許可することができる。
【０００９】
ネットページは、基礎であり、その上にネットページネットワークが構築される。ネットページは、公表された情報及び双方向性サービスに対する紙ベースのユーザインターフェースを提供することができる。
【００１０】
ネットページは、そのページのオンライン記述への参照が目に不可視タグとして付けられた印刷されたページ（又は他の表面領域）からなる。オンラインページ記述は、ネットページページサーバによって持続的に維持される。ページ記述は、テキスト、グラフィック及び画像を含むページの可視レイアウト及びコンテンツを記述する。ページ記述はさらに、ボタン、ハイパーリンク及び入力フィールドを含むページ上の入力エレメントを記述する。ネットページは、ネットページの表面にネットページペンによってなされたマーキングが、ネットページシステムによって同時に捕捉され、処理されることを可能にする。
【００１１】
複数のネットページが同じページ記述を共有することができる。しかしながら、他の点ではまったく同じページを介しての入力を区別できるように、それぞれのネットページには固有のページ識別子が割り当てられる。このページＩＤは、非常に多数のネットページを区別するのに足る十分な精度を有する。
【００１２】
本出願の出願人のデジタルインクジェットプリンタとともに使用するのに適した好ましい一形態では、ページ記述へのそれぞれの参照が印刷されたタグの中に符号化される。タグは、そのタグが表面に現れた固有のページを識別し、それによってページ記述を間接的に識別する。タグはさらに、そのページ上におけるそのタグ自体の位置を識別する。
【００１３】
タグは、通常の紙などの赤外線を反射する被印刷物（ｓｕｂｓｔｒａｔｅ）上に、赤外線を吸収するインクで印刷される。近赤外波長は人には不可視だが、適当なフィルタを備えた固体イメージセンサによって容易に感知される。
【００１４】
タグは、ネットページペン内のエリアイメージセンサ（ａｒｅａ  ｉｍａｇｅ  ｓｅｎｓｏｒ）によって感知され、タグデータは、最も近いネットページプリンタを介してネットページシステムに伝送される。ネットページペンは無線式であり、短距離無線リンクを介してネットページプリンタと通信する。ページを１回クリックするだけでもネットページペンが少なくとも１つのタグを確実に画像化することができるように、タグは十分に小さく、且つ密集して配置される。ペンとページとの対話はステートレス（ｓｔａｔｅｌｅｓｓ）であるため、ページと対話するたびに、ペンがページＩＤ及び位置を認識することが重要である。表面の損傷をある程度許容できるように、タグは、誤りを訂正できるように符号化される。
【００１５】
ネットページページサーバは、印刷されたそれぞれのネットページの固有のページインスタンスを維持し、これによって、ネットページページサーバは、印刷されたそれぞれのネットページのページ記述中の入力フィールドに対してユーザが供給した異なる一組の値を維持することができる。
【００１６】
Ｈｙｐｅｒｌａｂｅｌ（商標）はオーストラリアＳｉｌｖｅｒｂｒｏｏｋ  Ｒｅｓｅａｒｃｈ  Ｐｔｙ  Ｌｔｄ．社の商標である。本出願の出願人のデジタルインクジェットプリンタとともに使用するのに適したＨｙｐｅｒｌａｂｅｌ（商標）の好ましい一形態では、不可視（例えば赤外線）タグ付けスキームが製品アイテムを一意的に識別する。このことには、それによって、製品の包装又はラベルのグラフィックデザインに影響を与えることなく、製品の表面全体又は製品の表面のかなりの部分にタグ付けすることができるという重要な利点がある。製品の表面全体にタグ付けされる場合（「全面タグ付け（ｏｍｎｉｔａｇｇｅｄ）」）、製品の向きは、製品の被スキャン能力に影響を及ぼさない。即ち、可視バーコードの見通し線に関する欠点のかなりの部分が排除される。さらに、タグがコンパクトで、広範囲に模写される場合（「全面タグ（ｏｍｎｉｔａｇ）」）、ラベルの損傷もスキャニングを妨げない。
【００１７】
したがって、Ｈｙｐｅｒｌａｂｅｌのタグ付けは、製品アイテムの表面の大きな部分を、光学的に読取り可能な目に不可視タグで覆うことからなる。タグが赤外線スペクトルの反射又は吸収を利用するとき、それらのタグは、赤外線識別（ｉｎｆｒａｒｅｄ  ｉｄｅｎｔｉｆｉｃａｔｉｏｎ：ＩＲＩＤ）タグと呼ばれる。Ｈｙｐｅｒｌａｂｅｌタグはそれぞれ、タグがその表面に現れた製品を一意的に識別することができる。それぞれのタグはさらに、ネットページと対話できる下流消費者の利益を提供するため、任意選択で、製品アイテムの表面のタグ自体の位置を識別する。
【００１８】
Ｈｙｐｅｒｌａｂｅｌ（商標）は一般に、製品の製造及び／又は包装中にデジタルプリンタ、好ましくはインクジェットプリンタを使用して取り付けられる。このデジタルプリンタは、他の手段によってテキスト及びグラフィックが印刷された後にタグを印刷するアドオン赤外線プリンタ、又はタグ、テキスト及びグラフィックを同時に印刷する一体型カラー／赤外線プリンタとすることができる。
【００１９】
適当な近ＩＲ周波数を有する光源を使用することを除き、Ｈｙｐｅｒｌａｂｅｌ（商標）は、バーコードと同様の技術を使用して検出することができる。光源は、レーザ（例えば８３０ｎｍで発光するＧａＡｌＡｓレーザ）又はＬＥＤとすることができる。
【００２０】
本出願の出願人らは、いずれも２００６年７月１８日に出願した本出願の出願人らの同時係属米国特許出願第１１／４８８１６２号、第１１／４８８１６３号、第１１／４８８１６４号及び第１１／４８８１６７号（これらの出願の内容はすべて相互参照によって本明細書に組み込まれる）に、デジタルプリンタを使用してＨｙｐｅｒｌａｂｅｌ（商標）タグを印刷するシステムの代替システムを記載した。この代替システムでは、タグが、アナログ（例えばオフセット）印刷プロセスによって印刷され、製品アイテムが、これらのタグ内に符号化された独立した識別子及び／又はレイアウト識別子を担持する。この代替システムは、タグがそれぞれの個々の製品アイテムを一意的に識別する必要がなく、したがって、同一のタグの複数のバッチを巻取紙に印刷するアナログ印刷プロセスによってタグを印刷することができるという利点を有する。
【００２１】
したがって、アナログ印刷インクに調合するのに適したＩＲ吸収性染料を提供することが望ましいであろう。オフセット印刷用インクは一般に油ベースのインクである。
【００２２】
この染料が、近赤外線領域（例えば７００から１０００ｎｍ）における強い吸収、無又は低強度の可視吸収、良好な耐光性、良好な熱安定性、無又は低毒性、低コスト製造など、ネットページ及びＨｙｐｅｒｌａｂｅｌ（商標）システムと両立する特性を示すとさらに望ましいであろう。
【００２３】
いくつかのＩＲ染料が、Ｅｐｏｌｉｎ  Ｐｒｏｄｕｃｔｓ社、Ｆｕｊｉｆｉｌｍ  Ｉｍａｇｉｎｇ  Ｃｏｌｏｒａｎｔｓ社、Ｈ．Ｗ．Ｓａｎｄｓ  Ｃｏｒｐ．社など様々な供給元から販売されている。
【００２４】
さらに、先行技術は様々なＩＲ染料を記載している。例えば米国特許第５，４６０，６４６号は、染料、ビヒクル（ｖｅｈｉｃｌｅ）及び溶剤を含む赤外線印刷インクを記載しており、この染料は、ケイ素（ＩＶ）２，３−ナフタロシアニン−ビス−トリアルキルシリルオキシドである。
【００２５】
米国特許第５，２８２，８９４号は、無金属フタロシアニン、錯化（ｃｏｍｐｌｅｘｅｄ）フタロシアニン、無金属ナフタロシアニン、錯化ナフタロシアニン、ニッケルジチオレン、アミニウム化合物、メチン化合物又はアズレンスクエア酸を含む溶剤ベースの印刷インクを記載している。
【００２６】
しかしながら、従来技術の油ベースのインクは強く着色されており、ネットページ及びＨｙｐｅｒｌａｂｅｌ（商標）用途には適していない傾向がある。
【００２７】
［発明の概要］
第１の態様では、溶剤ベース又は油ベースのインクビヒクルに調合するのに適したＩＲ吸収性フタロシアニン染料であって、前記フタロシアニンが１つ又は複数のスルホン酸基を含み、少なくとも１つのスルホン酸基の対イオンがホスホニウムカチオンである染料が提供される。
【００２８】
任意選択で、前記フタロシアニンが、対応する複数のホスホニウムカチオンを有する複数のスルホン酸基を含む。
【００２９】
任意選択で、前記フタロシアニンがナフタロシアニンである。
【００３０】
任意選択で、前記ホスホニウムカチオン又はそれぞれの前記ホスホニウムカチオンが式：Ｐ＋（Ｒｍ）（Ｒｎ）（Ｒｓ）（Ｒｔ）を有し、Ｒｍ、Ｒｎ、Ｒｓ及びＲｔがそれぞれ独立に、Ｃ１〜３０アルキル、Ｃ５〜１２アリール及びＣ５〜３０アリールアルキルから選択される。
【００３１】
任意選択で、Ｒｍ、Ｒｎ、Ｒｓ及びＲｔのうちの少なくとも１つが５つ以上の炭素原子を含む。
【００３２】
任意選択で、前記染料が式（１）を有し、
【化１】
2010506962.tif 000003
ＭがＧａ（Ａ１）、
Ａ１が、−ＯＨ、ハロゲン、−ＯＲ３、−ＯＣ（Ｏ）Ｒ４又は−Ｏ（ＣＨ２ＣＨ２Ｏ）ｅＲｅから選択されたアキシアル配位子であり、ｅが２から１０までの整数、Ｒｅが、Ｈ、Ｃ１〜８アルキル又はＣ（Ｏ）Ｃ１〜８アルキルであり、
Ｒ１及びＲ２が互いに同じでも又は異なっていてもよく、水素又はＣ１〜１２アルコキシから選択され、
Ｒ３が、Ｃ１〜１２アルキル、Ｃ５〜１２アリール、Ｃ５〜１２アリールアルキル又はＳｉ（Ｒｘ）（Ｒｙ）（Ｒｚ）から選択され、
Ｒ４が、Ｃ１〜１２アルキル、Ｃ５〜１２アリール又はＣ５〜１２アリールアルキルから選択され、
Ｒｘ、Ｒｙ及びＲｚが互いに同じでも又は異なっていてもよく、Ｃ１〜１２アルキル、Ｃ５〜１２アリール、Ｃ５〜１２アリールアルキル、Ｃ１〜１２アルコキシ、Ｃ５〜１２アリールオキシ又はＣ５〜１２アリールアルコキシから選択され、
Ｚ＋がホスホニウムカチオンである。
【００３３】
任意選択で、Ｚ＋が式：Ｐ＋（Ｒｍ）（Ｒｎ）（Ｒｓ）（Ｒｔ）を有し、Ｒｍ、Ｒｎ、Ｒｓ及びＲｔがそれぞれ独立に、Ｃ１〜３０アルキル、Ｃ５〜１２アリール及びＣ５〜３０アリールアルキルから選択される。
【００３４】
任意選択で、Ｒｍ、Ｒｎ、Ｒｓ及びＲｔのうちの少なくとも１つが５つ以上の炭素原子を含む。任意選択で、Ｒｍ、Ｒｎ、Ｒｓ及びＲｔのうちの少なくとも１つが６つ以上の炭素原子を含む。
【００３５】
任意選択で、Ｒｍ、Ｒｎ、Ｒｓ及びＲｔのうちの少なくとも３つが５つ以上の炭素原子を含む。任意選択で、Ｒｍ、Ｒｎ、Ｒｓ及びＲｔのうちの少なくとも３つが６つ以上の炭素原子を含む。
【００３６】
任意選択で、Ｒｍ、Ｒｎ、Ｒｓ及びＲｔのうちの少なくとも３つが独立にＣ６〜３０アルキル基から選択される。任意選択で、Ｒｍ、Ｒｎ、Ｒｓ及びＲｔのうちの少なくとも１つが独立にＣ１０〜３０アルキル基から選択される。
【００３７】
任意選択で、Ｒ１とＲ２がともに水素である。
【００３８】
任意選択で、ＭがＧａ（ＯＨ）である。
【００３９】
第２の態様では、上で定義された染料を含む溶剤ベース又は油ベースのインクが提供される。
【００４０】
第３の態様では、インク供給源と、印刷版と、前記インク供給源からのインクを前記版上へ配置する手段とを備え、前記インクが上で定義された染料を含むアナログプリンタ又はアナログプリンタのモジュールが提供される。
【００４１】
第４の態様では、上で定義された染料がその表面又はその内部に配置された被印刷物が提供される。
【００４２】
任意選択で、前記被印刷物が、製品アイテムのラベル、包装又は表面である。
【００４３】
第５の態様では、符号化された被印刷物と対話するシステムであって、
人間が読み取ることができる情報と機械が読み取ることができる符号化されたデータとがその表面又はその内部に配置された被印刷物と、
前記機械が読み取ることができる符号化されたデータを読み取る感知装置と
を備え、前記符号化されたデータが上で定義された染料を含む
システムが提供される。
【００４４】
第６の態様では、リクエストされたアクションを印刷された被印刷物を介してコンピュータシステム内で開始する方法であって、前記被印刷物が、人間が読み取ることができる情報と機械が読み取ることができる符号化されたデータとを含み、前記方法が、
前記被印刷物に対する動作位置に感知装置を配置するステップと、
前記符号化されたデータの少なくとも一部を感知するステップと、
前記リクエストされたアクションを前記コンピュータが識別することを可能にする指示データを、前記感知された符号化されたデータの少なくとも一部を使用して感知装置内に生成するステップと、
前記指示データを前記コンピュータシステムに送るステップと
を含み、前記符号化されたデータが上で定義された染料を含む
方法が提供される。
【００４５】
第７の態様では、製品アイテムと対話する方法であって、前記製品アイテムが、人間が読み取ることができる情報と機械が読み取ることができる符号化されたデータとを含む印刷された表面を有し、前記方法が、
前記被印刷物に対する動作位置に感知装置を配置するステップと、
前記符号化されたデータの少なくとも一部を感知するステップと、
前記対話に関するパラメータを前記コンピュータが識別することを可能にする指示データを、前記感知された符号化されたデータの少なくとも一部を使用して感知装置内に生成するステップと、
前記指示データを前記コンピュータシステムに送るステップと
を含み、前記符号化されたデータが上で定義された染料を含む
方法が提供される。
【図面の簡単な説明】
【００４６】
【図１】印刷されたサンプルネットページとそのオンラインページ記述との間の関係の概略図である。
【図２】ネットページペン、ウェブ端末、ネットページプリンタ、ネットページ中継器、ネットページページサーバ、ネットページアプリケーションサーバ及びウェブサーバ間の対話の概略図である。
【図３】ネットワークを介して相互接続されたネットページサーバ、ウェブ端末、プリンタ及び中継器の集合を示す図である。
【図４】印刷されたネットページの高レベル構造及びそのオンラインページ記述の概略図である。
【図５Ａ】タグの４つの符号語の記号のインタリービング及び回転を示す平面図である。
【図５Ｂ】図５ａに示されたタグのマクロドットレイアウトを示す平面図である。
【図５Ｃ】図５ａ及び５ｂに示されたタグを９つ配置した様子を示す平面図であり、隣接するタグ間でターゲットが共有されている。
【図５Ｄ】図５ａに示されたタグの集合とネットページペンの形態のネットページ感知装置の視野との間の関係を示す平面図である。
【図６】ネットページペン及びその関連タグ感知視野円錐の透視図である。
【図７】図６に示されたネットページペンの分解透視図である。
【図８】図６及び７に示されたネットページペンのペンコントローラの概略ブロック図である。
【図９】壁取付け型ネットページプリンタの透視図である。
【図１０】図９のネットページプリンタの縦断面図である。
【図１０Ａ】２重印刷エンジン及び糊ホイールアセンブリの断面を示す図１０の拡大された部分である。
【図１１】図９及び１０のネットページプリンタのインクカートリッジ、インク、空気及び糊経路、並びに印刷エンジンの詳細図である。
【図１２】インクカートリッジの分解図である。
【図１３】アイテムＩＤの構造の概略図である。
【図１４】Ｈｙｐｅｒｌａｂｅｌタグの構造の概略図である。
【図１５】ペンクラス図の概略図である。
【図１６】製品アイテム、固定製品スキャナ、ハンドヘルド製品スキャナ、スキャナ中継器、製品サーバ及び製品アプリケーションサーバ間の対話の概略図である。
【図１７（Ａ）】サーマルベンドアクチュエータの基本動作原理を示す図である。
【図１７（Ｂ）】サーマルベンドアクチュエータの基本動作原理を示す図である。
【図１７（Ｃ）】サーマルベンドアクチュエータの基本動作原理を示す図である。
【図１８】図１７に従って構築された単一のインクジェットノズル配置の３次元図である。
【図１９】図１８に示されたノズル配置のアレイを示す図である。
【図２０】レイアウトＩＤクラス図の一例である。
【図２１】Ｈｙｐｅｒｌａｂｅｌタグクラス図の代替例である。
【図２２】Ｈｙｐｅｒｌａｂｅｌタグと別個のＲＦＩＤタグとを有する製品アイテムを示す図である。
【図２３】Ｈｙｐｅｒｌａｂｅｌタグと別個のバーコード識別子とを有する製品アイテムを示す図である。
【図２４】ランダムに分散させたタガントを含むインクによって上重ね印刷されたＨｙｐｅｒｌａｂｅｌタグを有する製品アイテムを示す図である。
【図２５】ＤＭＳＯに溶解した２．５２×１０−６Ｍテトラキス（トリヘキシルテトラデシルホスホニウム）塩５溶液の溶液スペクトルを示す図である。
【図２６】直射日光及びオフィスの大気汚染物に連続的にさらした３％ｗ／ｗホスホニウム塩５のオフセット印刷ストリップの反射率スペクトルを示す図である。
【図２７】３％ｗ／ｗヘキサデシルオキシガリウムナフタロシアニン６のオフセット印刷ストリップの反射率スペクトルを示す図である。
【００４７】
［詳細な説明］
ＩＲ吸収性染料
本明細書で使用されるとき、用語「フタロシアニン」は、広く大環状フタロシアニン類に属する任意の化合物を指し、ナフタロシアニン、キノリンフタロシアニンなど、及びそれらの置換された誘導体を含む。
【００４８】
本明細書で使用されるとき、用語「ＩＲ吸収性染料」は、赤外線を吸収し、したがって赤外線センサによる検出に適した物質を意味する。ＩＲ吸収性染料は、近赤外線領域の放射を吸収することが好ましく、好ましくは７００から１０００ｎｍ、より好ましくは７５０から９００ｎｍ、より好ましくは７８０から８５０ｎｍの範囲のλｍａｘを有する。この範囲のλｍａｘを有する染料は、ガリウムアルミニウムヒ素ダイオードレーザなどの半導体レーザによる検出に特に適する。
【００４９】
本発明に基づく製剤は、可視性が低く、溶剤ベース又は油ベースのインクに調合するのに適するという有利な特徴を有する。したがって、本発明の染料は、符号化されたデータがアナログ（例えばオフセット）印刷プロセスによって印刷される、本出願の出願者らの同時係属出願ＨＹＧ０１９、ＨＹＧ０２０、ＨＹＧ０２１及びＨＹＧ０２２に記載されたネットページ及びＨｙｐｅｒｌａｂｅｌ（商標）用途に使用するのに適する可能性がある。これらの出願の内容は参照によって本明細書に組み込まれる。
【００５０】
これまでのところ、スルホン化されたフタロシアニンのホスホニウム塩は、溶剤ベース又は油ベースのインクに調合するのに適したＩＲ吸収性染料としては提案されていない。伝統的に、フタロシアニン大員分子が本来的に備える疎水性は、フタロシアニンを溶剤又は油に可溶化する手段として利用されてきた。しかしながら、本発明では、フタロシアニンがスルホン化され、対イオンが、油に可溶化するのに必要な疎水性を提供する。この方法の１つの利点は、相補的な（ｃｏｍｐｌｅｍｅｎｔａｒｙ）水溶性及び油溶性染料を共通のスルホン酸中間体から製造することができることである。
【００５１】
他の利点は、相補的な水溶性及び油溶性染料が同じ発色団を有し、したがって同様のλｍａｘを有することである。ＩＲ染料は通常、特定の波長に対して最大感度を有する特定のＩＲセンサとともに使用されるように設計される。したがって、デジタル（例えばインクジェット）又はアナログ（例えばオフセット）プロセスによって印刷することができ、同じλｍａｘを有し、同じＩＲセンサとともに使用されるように最適化された、相補的な一組の水ベースの染料及び油ベースの染料を生成することが望ましい。後述する実施例に記載される油溶性及び溶剤可溶性染料は、本発明の出願者らの以前の出願ＩＲＢ０１１ＵＳ及びＩＲＢ０１７ＵＳに記載された水溶性染料と相補関係にあることは容易に理解される。これらの出願の内容は参照によって本明細書に組み込まれる。これらの染料はそれぞれ、スルホン化されたガリウムナフタロシアニン発色団を共有し、したがって同様の吸収特性を有する。
【００５２】
本発明に基づくＩＲ染料の重大な利点はそれらの低い可視性である。この低い可視性は、隣接する分子間の低いπ−πスタッキングの結果であると考えられる。ホスホニウムカチオンは凝集を妨害し、それによってよりシャープなＱバンド（Ｑ−ｂａｎｄ）を有するより大きなモノマー成分を提供すると考えられる。ＩＲ領域におけるよりシャープなＱバンドは一般に、可視領域の吸収を低下させ、したがって印刷されたときに全体の可視性を低下させる。
【００５３】
大きなホスホニウムカチオンが一般に好ましいが、リンの大きな原子サイズを考えると、ホスホニウムカチオンはどんなものであれ凝集を少なくともある程度は妨害し、より可視性の低い染料を生み出すものと本発明の発明者らは理解している。したがって、Ｒｍ、Ｒｎ、Ｒｓ及びＲｔは、アルキル及びアリール基の範囲からを選択することができる。しかしながら、５個以上又は６個以上の炭素原子を有するアルキル及びアリール基が一般に好ましい。一般に、Ｒｍ、Ｒｎ、Ｒｓ及びＲｔのうちの少なくとも１つが１１個以上の炭素原子を有する。他の対イオン（例えば金属イオン）と比較すると、ホスホニウムカチオンは、驚くほど低い可視吸収及び標準オフセットインクビヒクル中での優れた溶解度を有する染料を提供する。
【００５４】
本発明の最も一般的な形態では、フタロシアニン染料が無金属でもよく、又は中心金属原子部分Ｍを含んでもよい。任意選択で、Ｍは、Ｓｉ（Ａ１）（Ａ２）、Ｇｅ（Ａ１）（Ａ２）、Ｇａ（Ａ１）、Ｍｇ、Ａｌ（Ａ１）、ＴｉＯ、Ｔｉ（Ａ１）（Ａ２）、ＺｒＯ、Ｚｒ（Ａ１）（Ａ２）、ＶＯ、Ｖ（Ａ１）（Ａ２）、Ｍｎ、Ｍｎ（Ａ１）、Ｆｅ、Ｆｅ（Ａ１）、Ｃｏ、Ｎｉ、Ｃｕ、Ｚｎ、Ｓｎ、Ｓｎ（Ａ１）（Ａ２）、Ｐｂ、Ｐｂ（Ａ１）（Ａ２）、Ｐｄ及びＰｔから選択される。ある範囲の中心金属原子部分を有するフタロシアニンは文献においてよく知られている（例えばＡｌｄｒｉｃｈ  Ｃａｔａｌｏｇｕｅを参照されたい）。
【００５５】
任意選択で、Ｍは、Ｓｉ（Ａ１）（Ａ２）、Ｇｅ（Ａ１）（Ａ２）、Ｇａ（Ａ１）、Ａｌ（Ａ１）、ＶＯ、Ｍｎ、Ｍｎ（Ａ１）、Ｃｕ、Ｚｎ、Ｓｎ及びＳｎ（Ａ１）（Ａ２）から選択される。
【００５６】
任意選択で、ＭはＧａ（Ａ１）である。
【００５７】
Ａ１及びＡ２はアキシアル配位子であり、互いに同じでも又は異なっていてもよい。任意選択で、Ａ１及びＡ２は、−ＯＨ、ハロゲン又は−ＯＲ３から選択される。任意選択で、Ａ１及びＡ２を、−ＯＣ（Ｏ）Ｒ４又は−Ｏ（ＣＨ２ＣＨ２Ｏ）ｅＲｅとすることができ、ｅは２から１０までの整数、Ｒｅは、Ｈ、Ｃ１〜８アルキル又はＣ（Ｏ）Ｃ１〜８アルキルである。
【００５８】
Ｒ３は、Ｃ１〜１２アルキル、Ｃ５〜１２アリール、Ｃ５〜１２アリールアルキル又はＳｉ（Ｒｘ）（Ｒｙ）（Ｒｚ）とすることができる。
【００５９】
Ｒ４は、Ｃ１〜１２アルキル、Ｃ５〜１２アリール又はＣ５〜１２アリールアルキルとすることができる。
【００６０】
Ｒｘ、Ｒｙ及びＲｚは互いに同じでも又は異なっていてもよく、Ｃ１〜１２アルキル、Ｃ５〜１２アリール、Ｃ５〜１２アリールアルキル、Ｃ１〜１２アルコキシ、Ｃ５〜１２アリールオキシ又はＣ５〜１２アリールアルコキシから選択される。
【００６１】
Ａ１は一般にヒドロキシル基（−ＯＨ）である。或いは、染料分子上に特定の特性を与えるように、Ａ１を選択又は修飾することができる。染料分子にアキシアル立体バルク（ａｘｉａｌ  ｓｔｅｒｉｃ  ｂｕｌｋ）を追加し、それによって隣接する染料分子間の共面（ｃｏｆａｃｉａｌ）相互作用をさらに低減させるように、Ａ１を選択することができる。
【００６２】
本明細書では用語「アリール」が、フェニル、ナフチル又はトリプチセニルなどの芳香族基を指すために使用される。Ｃ６〜１２アリールは例えば、置換基を除いて６から１２個の炭素原子を有する芳香族基を指す。用語「アリーレン」は、もちろん、上記の１価のアリール基に対応する２価の基を指す。適当な場合、アリールへの一切の言及は暗黙的にアリーレンを含む。
【００６３】
そうではないと特に明示されない限り、アリール基は、任意選択で、下記の１、２、３、４又は５つの置換基で置換されていてもよい。この任意選択の置換基（１つ又は複数）は、Ｃ１〜８アルキル、Ｃ１〜８アルコキシ、−（ＯＣＨ２ＣＨ２）ｄＯＲｄ（ｄは２から５０００までの整数、ＲｄはＨ、Ｃ１〜８アルキル又はＣ（Ｏ）Ｃ１〜８アルキルである）、シアノ、ハロゲン、アミノ、ヒドロキシル、チオール、−ＳＲｖ、−ＮＲｕＲｖ、ニトロ、フェニル、フェノキシ、−ＣＯ２Ｒｖ、−Ｃ（Ｏ）Ｒｖ、−ＯＣＯＲｖ、−ＳＯ２Ｒｖ、−ＯＳＯ２Ｒｖ、−ＳＯ２ＯＲｖ、−ＮＨＣ（Ｏ）Ｒｖ、−ＣＯＮＲｕＲｖ、−ＣＯＮＲｕＲｖ、−ＳＯ２ＮＲｕＲｖの中から独立に選択され、Ｒｕ及びＲｖは、水素、Ｃ１〜１２アルキル、フェニル又はフェニル−Ｃ１〜８アルキル（例えばベンジル）の中から独立に選択される。例えば１つの基が２つ以上の置換基を含む場合、異なる置換基は異なるＲｕ又はＲｖ基を有することができる。例えば、ナフチル基は、以下の３つの置換基で置換されていてもよい：−ＳＯ２ＮＨＰｈ、−ＣＯ２Ｍｅ基及び−ＮＨ２。
【００６４】
本明細書では用語「アルキル」が、直鎖と枝分れ鎖の両方の形態のアルキル基を指すために使用される。アルキル基は、Ｏ、Ｎ又はＳから選択された１、２又は３つのヘテロ原子によって中断（ｉｎｔｅｒｒｕｐｔｅｄ）されていてもよい。アルキル基はさらに、１、２又は３つの２重及び／又は３重結合によって中断されていてもよい。しかしながら、用語「アルキル」は通常、ヘテロ原子による中断或いは２重又は３重結合による中断のないアルキル基を指す。「アルケニル」基に特に言及される場合、「アルケニル」基を、上記の「アルキル」の定義に対する限定と解釈することは意図されない。
【００６５】
用語「アルキル」はハロゲノアルキル基をも含む。例えばＣ１〜１２アルキル基は、ハロゲン原子によって置換された５つまでの水素原子を有することができる。例えば−ＯＣ（Ｏ）Ｃ１〜１２アルキル基は具体的には−ＯＣ（Ｏ）ＣＦ３を含む。
【００６６】
例えばＣ１〜３０アルキルに言及される場合、これは、そのアルキル基が１から３０までの任意の数の炭素原子を含むことができることを意味する。そうではないと特に明示されない限り、「アルキル」への言及はＣ１〜３０アルキルを意味する。
【００６７】
用語「アルキル」はシクロアルキル基をも含む。本明細書で使用されるとき、用語「シクロアルキル」は、シクロアルキル、ポリシクロアルキル及びシクロアルケニル基、並びにこれらと線状アルキル基との組合せ、例えばシクロアルキルアルキル基を含む。シクロアルキル基は、Ｏ、Ｎ又はＳから選択された１、２又は３つのヘテロ原子によって中断されていてもよい。しかしながら、用語「シクロアルキル」は通常、ヘテロ原子による中断のないシクロアルキル基を指す。シクロアルキル基の例には、シクロペンチル、シクロヘキシル、シクロヘキセニル、シクロヘキシルメチル及びアダマンチル基などがある。
【００６８】
用語「アリールアルキル」はベンジル、フェニルエチル及びナフチルメチルなどの基を指す。
【００６９】
本明細書では用語「ハロゲン」又は「ハロ」が、フッ素、塩素、臭素及びヨウ素のいずれかを指すために使用される。しかしながら、ハロゲンは通常、塩素又はフッ素置換基を指す。
【００７０】
本明細書に記載されたキラル化合物には立体記述子（ｓｔｅｒｅｏ−ｄｅｓｃｒｉｐｔｏｒ）が与えられていない。しかしながら、化合物に立体異性体が存在しうるときには、すべての可能な立体異性体及びその混合物（例えば鏡像異性体、ジアステレオマー、及びラセミ混合物を含むすべての組合せなど）が含まれる。
【００７１】
同様に、化合物にいくつかの位置異性体が存在しうるときには、すべての可能な位置異性体及びその混合物が含まれる。
【００７２】
疑念を避けるため、「ｃｏｍｐｒｉｓｉｎｇ  ａ」などの句における用語「ａ」（又は「ａｎ」）は、「少なくとも１つ」を意味し、「１つだけ」を意味しない。用語「少なくとも１つ」が特に使用されている場合、これを、上記「ａ」の定義に対する限定と解釈してはならない。
【００７３】
本明細書の全体を通じて、用語「含む、備える（ｃｏｍｐｒｉｓｉｎｇ）」、又は「含む、備える（ｃｏｍｐｒｉｓｅ）」、「含む、備える（ｃｏｍｐｒｉｓｅｓ）」などの異形は、言及された要素、完全体又はステップを含むものと解釈すべきであり、他の要素、完全体又はステップを除外するものと解釈すべきではない。
【００７４】
インク
本発明はさらに、溶剤ベース又は油ベースのインクを提供する。任意選択で、このインクは、オフセット印刷などのアナログ印刷に適する。しかし、このインクは、気泡発生のために水ベースのインクを必要としないデジタルインクジェット印刷ヘッドにも適する可能性があることが理解される。このような印刷ヘッドの例は、圧電印刷ヘッド、及び後により詳細に説明する本出願の出願人のサーマルベンドアクチュエータ（ｔｈｅｒｍａｌ  ｂｅｎｄ  ａｃｔｕａｔｏｒ）印刷ヘッドである。
【００７５】
アナログ印刷に適した溶剤ベース及び油ベースのインク製剤は当業者によく知られている。このような印刷インクは一般に、以下のものを含む４つの材料カテゴリからなる。（ａ）染料。これは顔料、トナー及び染料を含む。（ｂ）ビヒクル又はワニス。これは、印刷操作の間、染料のキャリヤの働きをし、乾燥後に染料を被印刷物に結合する。（ｃ）溶剤。これは主にビヒクルの形成を助け、インクの粘度を低下させる。（ｄ）添加剤。これは、印刷適性、薄膜特性、乾燥速度及び最終用途特性に影響を与える。
【００７６】
プリンタ
オフセットプリンタなどのアナログプリンタは当技術分野において数１０年にわたって知られており、当業者の共通の一般知識の一部である。
【００７７】
既に述べたとおり、本明細書に記載の溶剤ベースのインクは、本出願の出願人のサーマルベンドアクチュエータインクジェット印刷ヘッドとともに使用することができる。このサーマルベンドアクチュエータでは一般に、インクを含むノズルチャンバと、チャンバ内に配置されたパドルに接続されたサーマルベンドアクチュエータとを有するノズル配置が提供される。サーマルアクチュエータデバイスは、ノズルチャンバからインクを噴射するように作動する。好ましい実施形態は、導電性トレースの伝導加熱を提供する一連のテーパ付き部分を含む特定のサーマルベンドアクチュエータを含む。アクチュエータは、ノズルチャンバのスロット壁を通して受け取られたアームを介してパドルに接続される。ノズルチャンバ壁のスロットの表面と実質的に対合するように、アクチュエータアームは対合形状を有する。
【００７８】
最初に図１７（ａ）〜（ｃ）を参照すると、この実施形態のノズル配置の基本動作の概略図が示されている。インク入口チャネル５０３によってインク５０２が充填されたノズルチャンバ５０１が提供される。インク入口チャネル５０３は、ノズルチャンバ５０１が載るウェーハ基板内にエッチングすることができる。ノズルチャンバ５０１はさらに、その周囲にインクメニスカスができるインク噴射ポート５０４を含む。
【００７９】
ノズルチャンバ５０１内には、ノズルチャンバ５０１の壁のスロットを通してアクチュエータ５０８に相互接続されたパドル型デバイス５０７がある。アクチュエータ５０８は、ポスト５１０の端部に隣接して位置するヒータ手段、例えば５０９を含む。ポスト５１０は基板に固定される。
【００８０】
図１７（ｂ）に示されているように、ノズルチャンバ５０１からインク滴を噴射することが望ましいときに、ヒータ手段５０９が、熱膨張するように加熱される。ヒータ手段５０９自体又はアクチュエータ５０８の他の部分が、高い曲げ効率（ｂｅｎｄ  ｅｆｆｉｃｉｅｎｃｙ）を有する材料から構築されることが好ましい。曲げ効率は以下のように定義される。
【数１】
2010506962.tif 000004
【００８１】
ヒータ手段に適した材料は、ガラス材料を曲げるように形成することができる銅ニッケル合金である。
【００８２】
活動化の効果がパドル端５０７のところで強められ、その結果、ポスト５１０の近くでの小さな熱膨張がパドル端の大きな運動に結びつくように、理想的にはヒータ手段５０９が、ポスト５１０の端部に隣接して配置される。
【００８３】
ヒータ手段５０９の運動及びその結果起こるパドルの運動によって、インクメニスカス５０５の周囲の圧力が全般的に増大し、インクメニスカス５０５が、図１７（ｂ）に示されているように急速に膨張する。ヒータ電流がパルシングされ、ポート５０４からインクが押し出され、加えてインクチャネル５０３からインクが流入する。
【００８４】
続いて、パドル５０７が非活動化されて、再びその休止位置に戻る。この非活動化によって、インクがノズルチャンバ内へ全体的に逆流する。このノズルリムの外側へのインクの前方への運動量及び対応する逆流の結果、印刷媒体に向かって進むインク滴５１２が全体的にくびれ、ちぎれる。メニスカス５０５の崩壊の結果、インクフローチャネル５０３を介したノズルチャンバ５０２内へのインクの全体的な吸込みが起こる。そのうちに、ノズルチャンバ５０１が再充填され、その結果、図１７（ａ）の位置に再び戻り、続いて、ノズルチャンバが別のインク滴を噴射する準備が整う。
【００８５】
図１８はこのノズル配置の側面透視図を示す。図１９は、図１８のノズル配置のアレイの断面図を示す。これらの図では、以前に導入された要素の符号が維持されている。
【００８６】
最初に、アクチュエータ５０８は、窒化チタン層５１７の上に形成された上部ガラス部分５１６（非晶質二酸化ケイ素）を含むテーパの付いた一連のアクチュエータユニット、例えば５１５を含む。或いは、より高い曲げ効率を有する銅ニッケル合金層（以下キュプロニッケルと呼ぶ）を利用することもができる。
【００８７】
窒化チタン層５１７はテーパの付いた形態をとり、そのため、ポスト５１０の端部の近くで抵抗性加熱が起こる。隣接する窒化チタン／ガラス部分５１５はブロック部分５１９のところで互いに接続されており、ブロック部分５１９はさらに、アクチュエータ５０８に機械的な構造支持を提供する。
【００８８】
加熱したときに、アクチュエータ５０８の軸に沿って生じる曲げる力が最大化されるように、理想的には、ヒータ手段５０９が、細長く、間隔を置いて配置された複数のテーパ付きアクチュエータユニット５１５を含む。隣接するテーパ付きユニット５１５間にはスロットが画定され、これらのスロットは、それぞれのアクチュエータ５０８が隣接するアクチュエータ５０８に対してわずかにずれて動作することを見込んだものである。
【００８９】
ブロック部分５１９はアーム５２０に相互接続される。アーム５２０は、ノズルチャンバ５０１の側面に形成されたスロット、例えば５２２によって、ノズルチャンバ５０１の内側のパドル５０７に接続される。アーム５２０の周囲からインクが流出する機会を最小化するため、スロット５２２は、アーム５２０の表面と全体的に対合するように設計される。インクは、スロット５２２の周囲の表面張力効果によって全体的にノズルチャンバ５０１内に保持される。
【００９０】
アーム５２０を作動させたいときには、必要な電力及び制御回路をノズル配置に提供する下部ＣＭＯＳ層５０６に接続したブロック部分５１９内のバイアを通して、窒化チタン層５１７に伝導電流が流される。この伝導電流は、ポスト５１０に隣接した窒化層５１７の加熱を加熱し、この加熱が、アーム２０を全体的に上方へ曲げ、その結果、ノズル５０４からインクを噴射させる。噴射されたインク滴は、前述のインクジェットプリンタの通常の方法でページに印刷される。
【００９１】
ノズル配置のアレイを形成して、単一の印刷ヘッドを製作することができる。例えば、図２４には、印刷ヘッドアレイを形成するようにインタリーブされた列としてレイアウトされた図１８の複数のインク噴射ノズル配置を含む様々なアレイの部分断面図が示されている。もちろん、フルカラーアレイなどを含む異なるタイプのアレイを製作することもできる。
【００９２】
記載された印刷ヘッドシステムの構築は、本発明の出願人の「Ｉｍａｇｅ  Ｃｒｅａｔｉｏｎ  Ｍｅｔｈｏｄ  ａｎｄ  Ａｐｐａｒａｔｕｓ（ＩＪ４１）」という名称の米国特許第６，２４３，１１３号に記載された諸ステップを適当に変更することにより、標準ＭＥＭＳ技法を利用して実施することができる。この特許の内容はその全体が相互参照によって組み込まれる。
【００９３】
被印刷物
前述のとおり、本発明の染料は、Ｈｙｐｅｒｌａｂｅｌ（商標）及びネットページシステムでの使用に特に適している。該システムについては、後続のセクション及び前掲の特許出願において詳細に説明される。それらの特許出願はすべて、その全体が参照によって本明細書に組み込まれる。
【００９４】
したがって、本発明は、前述のＩＲ吸収性染料がその表面又はその内部に配置された被印刷物を提供する。好ましくは、この被印刷物がインターフェース面を含む。好ましくは、ネットページ及び／又はＨｙｐｅｒｌａｂｅｌ（商標）システムでの使用に適した符号化されたデータの形態の染料が配置される。例えば、この符号化されたデータは、製品アイテムの複数の位置及び／又は識別を指示することができる。好ましくは、符号化されたデータが、被印刷物のインターフェース面のかなりの部分（インターフェース面の例えば２０％超、５０％超又は９０％超）に配置される。
【００９５】
好ましくは、表面に配置された染料を感知装置によって検出することができるように、被印刷物がＩＲ反射性である。被印刷物は、プラスチック（例えばポリオレフィン、ポリエステル、ポリアミドなど）、紙、金属又はこれらの組合せなど、適当な材料からなることができる。被印刷物は積層されていてもよい。
【００９６】
ネットページ用途では、被印刷物が枚葉紙であることが好ましい。Ｈｙｐｅｒｌａｂｅｌ（商標）用途では、被印刷物が、製品アイテムのタグ、ラベル、包装材料又は表面であることが好ましい。タグ及びラベルは一般にプラスチック、紙又はこれらの組合せからなる。
【００９７】
ネットページ及びＨｙｐｅｒｌａｂｅｌ（商標）
次に、ネットページ及びＨｙｐｅｒｌａｂｅｌ（商標）を詳細に概観する。注記：Ｍｅｍｊｅｔ（商標）及びＨｙｐｅｒｌａｂｅｌ（商標）は、オーストラリアＳｉｌｖｅｒｂｒｏｏｋ  Ｒｅｓｅａｒｃｈ  Ｐｔｙ  Ｌｔｄ．社の商標である。すべての実施態様が、この基本システムに関して後に論じられる特定の詳細及び拡張の全部又は大部分を具体化するわけではないことが理解される。しかしながら、本発明の好ましい実施形態及び態様が機能する文脈を理解しようとするときの外部参照の必要性を低減させるため、この基本システムを、その最も完全な形態に関して説明する。
【００９８】
簡単に概要を述べると、ネットページシステムの好ましい形態は、マップされた表面（ｍａｐｐｅｄ  ｓｕｒｆａｃｅ）、即ちコンピュータシステム内に維持されたその表面のマップへの参照を含む物理的表面の形態のコンピュータインターフェースを使用する。これらのマップ参照は、適当な感知装置によって問い合わせることができる。その特定の実施態様に応じて、マップ参照は、可視的に又は不可視的に符号化することができ、マップされた表面でのローカル問合せが、そのマップ内と異なるマップ間の両方において明確なマップ参照を与えるような方法で、マップ参照を定義することができる。このコンピュータシステムは、マップされた表面のフィーチャ（ｆｅａｔｕｒｅ）に関する情報を含むことができ、このような情報は、マップされた表面とともに使用される感知装置によって供給されるマップ参照に基づいて取り出すことができる。このようにして取り出される情報は、オペレータと表面フィーチャとの対話に応答して、オペレータに代わりコンピュータシステムによって開始されるアクションの形態をとることができる。
【００９９】
その好ましい形態では、ネットページシステムが、ネットページの生成及び人とネットページとの対話に依存する。ネットページは、テキスト、グラフィック及び画像からなり、通常の紙に印刷されたページではあるが、双方向性ウェブページと同様に機能するページである。情報は、肉眼では実質的に不可視のインクを使用してそれぞれのページに符号化される。しかしながら、このインク、したがって符号化されたデータは光学画像化ペンによって感知することができ、ネットページシステムに送信することができる。
【０１００】
好ましい形態では、情報をネットワークにリクエストし、又はネットワークサーバにプリファランス（ｐｒｅｆｅｒｅｎｃｅ）を伝えるために、それぞれのページ上のアクティブボタン及びハイパーリンクをこのペンでクリックすることができる。一実施形態では、ネットページ上の手書きのテキストが、ネットページシステム内で自動的に認識され、コンピュータテキストに変換され、これによって書式（ｆｏｒｍ）に記入することができる。他の実施形態では、ネットページ上に記録された署名が自動的に照合され、これによってｅコマーストランザクションを安全に許可することができる。
【０１０１】
図１に示されているように、印刷されたネットページ１は、ユーザが、この印刷されたページ上に物理的に記入することも、ペンとネットページシステムとの間の通信によって「電子的に」記入することもできる双方向性書式を表すことができる。この例は、名前フィールド及び住所フィールド並びに送信ボタンを含む「リクエスト」書式を示す。このネットページは、可視インクを使用して印刷されたグラフィックデータ２と、不可視インクを使用してタグ４の集合として印刷された符号化されたデータ３とからなる。ネットページネットワーク上に記憶された対応するページ記述５は、そのネットページの個々のエレメントを記述する。具体的には、ページ記述５は、ネットページを介した入力をネットページシステムが正確に解釈することができるように、それぞれの双方向性エレメント（即ちこの例ではテキストフィールド又はボタン）のタイプ及び空間的広がり（ゾーン）を記述する。例えば送信ボタン６は、対応するグラフィック８の空間的広がりに対応するゾーン７を有する。
【０１０２】
図２に示されているように、ネットページペン１０１は、パーソナルコンピュータ（ＰＣ）、ウェブ端末７５又はネットページプリンタ６０１とともに機能する。ネットページペン１０１の好ましい一形態が図６及び７に示されており、ネットページペン１０１については後により詳細に説明する。ネットページプリンタは、インターネットに接続された家庭用、オフィス用又はモバイル用の印刷機器である。このペンは無線式であり、短距離無線リンク９を介してネットページネットワークと安全に通信する。短距離通信は、ＰＣ、ウェブ端末又はネットページプリンタ内に埋め込まれたローカル中継機能、或いは別個の中継装置４４によって提供されたローカル中継機能によってネットページネットワークに中継される。この中継機能は、携帯電話器、又は短距離通信機能と長距離通信機能の両方を含む他の装置によっても提供することができる。
【０１０３】
代替実施形態では、ネットページペンが、ＰＣ、ウェブ端末、ネットページプリンタ又は中継装置への有線接続、例えばＵＳＢ又は他のシリアル接続を利用する。
【０１０４】
ネットページプリンタ６０１は、個人化された新聞、雑誌、カタログ、パンフレット及び他の出版物を定期的に又はオンデマンドで送付することができ、これらの出版物はすべて、双方向性ネットページとして高品質で印刷される。ネットページプリンタ６０１の好ましい一形態が図９から１１に示されており、ネットページプリンタ６０１については後により詳細に説明する。パーソナルコンピュータとは違い、ネットページプリンタは、ユーザのキッチン、食卓の近く、又は玄関の近くなど、朝のニュースが最初に消費される場所に隣接して、例えば壁に取り付けることができる機器である。ネットページプリンタはさらに、卓上型、机上型、携帯型及び小型プリンタの形態をとる。
【０１０５】
それらの消費場所で印刷されるネットページは、紙の使いやすさと、双方向媒体の適時性及び双方向性とを結合する。
【０１０６】
図２に示されているように、ネットページペン１０１は、印刷されたネットページ１（又は製品アイテム（ｐｒｏｄｕｃｔ  ｉｔｅｍ）２０１）上の符号化されたデータと対話し、短距離無線リンク９を介してこの対話を中継器に伝達する。中継器は、この対話を、解釈のために関連ネットページページサーバ１０に送る。適当な状況では、このページサーバが、ネットページアプリケーションサーバ１３上で実行されているアプリケーションコンピュータソフトウェアに、対応するメッセージを送る。アプリケーションサーバは次いで、起点となったプリンタに印刷される応答を送ることができる。
【０１０７】
代替実施形態では、ＰＣ、ウェブ端末、ネットページプリンタ又は中継装置が、ローカル又はリモートウェブサーバを含むローカル又はリモートアプリケーションソフトウェアと直接に通信することができる。これに関連して、出力は、ネットページプリンタによって印刷されることに限定されない。出力は、ＰＣ又はウェブ端末上に表示することもでき、追加の対話を紙ベースではなくスクリーンベースとすることができ、又はこれら２つの混合とすることができる。
【０１０８】
好ましい実施形態では、高速マイクロエレクトロメカニカルシステム（ｍｉｃｒｏｅｌｅｃｔｒｏｍｅｃｈａｎｉｃａｌ  ｓｙｓｔｅｍ：ＭＥＭＳ）に基づくインクジェット（Ｍｅｍｊｅｔ（商標））プリンタとともに使用することによって、このネットページシステムが相当に便利になる。この技術の好ましい形態では、消費者が、比較的に高速且つ高品質の印刷を手頃な費用で利用できるようになる。その好ましい形態では、ネットページ出版物が、容易なナビゲーション及び快適な取扱いのために互いに結合された、両面にフルカラーで印刷された一組のレターサイズの光沢ページなどの伝統的なニュース雑誌の物理特性を有する。
【０１０９】
ネットページプリンタは、拡大しているブロードバンドインターネットアクセスの利用可能性を利用する。ケーブルサービスは、米国の家庭の９５％で使用可能であり、ブロードバンドインターネットアクセスを提供するケーブルモデムサービスは既に米国の家庭の２０％で使用可能である。このネットページプリンタはより低速の接続でも機能することができるが、送付時間が長くなり、画質が低下する。実際、消費者向けの既存のインクジェットプリンタ及びレーザプリンタを使用しても、このネットページシステムを使用可能にすることはできるが、システムはより低速で動作し、したがって消費者から見てより受け入れがたいものとなる。他の実施形態では、このネットページシステムが専用イントラネット上に置かれる。他の実施形態では、このネットページシステムが、単一のコンピュータ、又はコンピュータによって使用可能にされる装置、例えばプリンタに置かれる。
【０１１０】
ネットページネットワーク上のネットページ発行サーバ１４は、印刷品質の出版物をネットページプリンタに送付するように構成される。定期出版物は、購読を申し込んだネットページプリンタに、ポイントキャスティング及びマルチキャスティングインターネットプロトコルを介して自動的に送付される。個人化された出版物はフィルタにかけられ、個々のユーザプロフィールに従ってフォーマットされる。
【０１１１】
ネットページプリンタは、任意の数のペンをサポートするように構成することができ、ペンは、任意の数のネットページプリンタとともに機能することができる。好ましい実施態様では、それぞれのネットページペンが固有の識別子を有する。家庭では、着色されたネットページペンの集合を所有することができ、これらを家族の一人ひとりに１本ずつ割り当てることができる。これによって、それぞれのユーザが、ネットページ発行サーバ又はアプリケーションサーバに対して異なるプロフィールを維持することができる。
【０１１２】
さらに、ネットページペンをネットページ登録サーバ１１に登録することができ、１つ又は複数の支払いカードアカウントにリンクさせることができる。これにより、ネットページペンを使用してｅコマース支払いを安全に許可することができる。ネットページ登録サーバは、ネットページペンによって捕捉された署名を、以前に登録された署名と比較し、それによって、ｅコマースサーバに対してユーザの識別を認証することができる。他のバイオメトリック情報（ｂｉｏｍｅｔｒｉｃ）を使用して、識別を照合することもできる。ネットページペンの一形態は、ネットページ登録サーバによって同様の方法で照合される指紋スキャニングを含む。
【０１１３】
ネットページプリンタは、朝刊紙などの定期出版物をユーザの介入なしで送付することができるが、頼んでいないジャンクメール（ｊｕｎｋ  ｍａｉｌ）を送付しないように、ネットページプリンタを構成することができる。その好ましい形態では、ネットページプリンタが、購読申込みを受けた出版元又は他の方法で許可された出版元からの定期出版物だけを送付する。この点で、ネットページプリンタは、電話番号又は電子メールアドレスを知っているジャンクメールの差出人から丸見えのファックス装置又は電子メールアカウントとは異なる。
【０１１４】
１  ネットページシステムアーキテクチャ
このシステムのオブジェクトモデルはそれぞれ、ユニファイドモデリングランゲージ（Ｕｎｉｆｉｅｄ  Ｍｏｄｅｌｉｎｇ  Ｌａｎｇｕａｇｅ：ＵＭＬ）のクラス図を使用して記述される。クラス図は、関係によって接続された一組のオブジェクトクラスからなり、ここでは２種類の関係、即ち関連（ａｓｓｏｃｉａｔｉｏｎ）及び汎化（ｇｅｎｅｒａｌｉｚａｔｉｏｎ）が重要である。関連は、オブジェクト間、即ちクラスのインスタンス間のある種類の関係を表す。汎化は実際のクラスを関係付けるものであり、以下のように理解することができる：あるクラスが、そのクラスのすべてのオブジェクトの集合と考えられ、クラスＡがクラスＢの汎化である場合、Ｂは単純にＡの部分集合である。ＵＭＬは、２次モデリング、即ち「クラスのクラス」を直接にはサポートしない。
【０１１５】
それぞれのクラスは、クラスの名称が記された長方形として描かれる。この長方形は、水平線によって名称から分けられたそのクラスの属性のリスト、及び水平線によって属性リストから分けられたそのクラスの操作のリストを含む。しかしながら、以下のクラス図で操作がモデリングされることはない。
【０１１６】
関連は、２つのクラスをつなぐ線として描かれ、任意選択で、どちらかの端に関連の多重度が書き込まれる。デフォルトの多重度は１である。アスタリスク（＊）は「ｍａｎｙ」、即ちゼロ以上の多重度を示す。それぞれの関連には任意選択でその名称が記入され、やはり任意選択で、どちらかの端に対応するクラスのロール（ｒｏｌｅ）が記入される。白抜きの菱形は、集約（ａｇｇｒｅｇａｔｉｏｎ）関連（「ｉｓ−ｐａｒｔ−ｏｆ」）を示し、関連線のアグリゲータ（ａｇｇｒｅｇａｔｏｒ）端に描かれる。
【０１１７】
汎化関係（「ｉｓ−ａ」）は、２つのクラスをつなぐ実線として描かれ、汎化端には矢印（白抜きの三角形）が付けられる。
【０１１８】
クラス図が複数の図に分割されると、複製されたクラスは、それを定義する主図を除き、破線の輪郭線で示される。クラス図は、それが定義されたところだけ属性とともに示される。
【０１１９】
１．１  ネットページ
ネットページは、その上にネットページネットワークが構築される基礎である。ネットページは、公表された情報及び双方向サービスに対する紙ベースのユーザインターフェースを提供する。
【０１２０】
ネットページは、そのページのオンライン記述への参照が目に不可視タグとして付けられた印刷されたページ（又は他の表面領域）からなる。オンラインページ記述は、ネットページページサーバによって持続的に維持される。ページ記述は、テキスト、グラフィック及び画像を含むページの可視レイアウト及びコンテンツを記述する。ページ記述はさらに、ボタン、ハイパーリンク及び入力フィールドを含むページ上の入力エレメントを記述する。ネットページは、ネットページの表面にネットページペンによってなされたマーキングが、ネットページシステムによって同時に捕捉され、処理されることを可能にする。
【０１２１】
複数のネットページが同じページ記述を共有することができる。しかしながら、他の点ではまったく同じページを介しての入力を区別できるように、それぞれのネットページには固有のページ識別子が割り当てられる。このページＩＤは、非常に多数のネットページを区別するのに足る十分な精度を有する。
【０１２２】
ページ記述へのそれぞれの参照は印刷されたタグの中に符号化される。タグは、そのタグが表面に現れた固有のページを識別し、それによってページ記述を間接的に識別する。タグはさらに、そのページ上におけるそのタグ自体の位置を識別する。タグの特性については後により詳細に説明する。
【０１２３】
タグは、通常の紙などの赤外線を反射する被印刷物上に、赤外線を吸収するインクで印刷される。近赤外波長は人の眼には不可視だが、適当なフィルタを備えた固体イメージセンサによって容易に感知される。
【０１２４】
タグは、ネットページペン内のエリアイメージセンサ（ａｒｅａ  ｉｍａｇｅ  ｓｅｎｓｏｒ）によって感知され、タグデータは、最も近いネットページプリンタを介してネットページシステムに伝送される。ネットページペンは無線式であり、短距離無線リンクを介してネットページプリンタと通信する。ページを１回クリックするだけでもネットページペンが少なくとも１つのタグを確実に画像化することができるように、タグは十分に小さく、且つ密集して配置される。ペンとページとの対話はステートレス（ｓｔａｔｅｌｅｓｓ）であるため、ページと対話するたびに、ペンがページＩＤ及び位置を認識することが重要である。表面の損傷をある程度許容できるように、タグは、誤りを訂正できるように符号化される。
【０１２５】
ネットページページサーバは、印刷されたそれぞれのネットページの固有のページインスタンスを維持し、これによって、ネットページページサーバは、印刷されたそれぞれのネットページのページ記述中の入力フィールドに対してユーザが供給した異なる一組の値を維持することができる。
【０１２６】
ページ記述、ページインスタンス及び印刷されたネットページ間の関係が図４に示されている。印刷されたネットページを、印刷されたネットページ文書（ｄｏｃｕｍｅｎｔ）４５の部分とすることができる。ページインスタンスは、それを印刷したネットページプリンタと、それをリクエストしたネットページユーザ（分かっている場合）の両方に関連付けられる。
【０１２７】
図４に示されているように、例えば製品アイテムのラベル、包装又は実際の表面に印刷されたときなど、製品アイテムなどの１つの現実のオブジェクトに、１つ又は複数のネットページを関連付けることもできる。
【０１２８】
１．２  ネットページタグ
１．２．１  タグデータのコンテンツ
好ましい一形態では、それぞれのタグが、そのタグが現れた領域及びその領域内でのそのタグの位置を識別する。タグはさらに、その領域全体に関係するフラグ又はそのタグに関係するフラグを含むことができる。１つ又は複数のフラグビットは例えば、タグ感知装置がその領域の記述を参照する必要なしに、そのタグのそのエリアに関連付けられた機能を指示するフィードバックを供給するようタグ感知装置に知らせる。ネットページペンがハイパーリンクのゾーン内にあるとき、ネットページペンは例えば「アクティブエリア（ａｃｔｉｖｅ  ａｒｅａ）」ＬＥＤを点灯することができる。
【０１２９】
後により明確に説明するが、好ましい一実施形態では、それぞれのタグが、容易に認識される変化しない構造を含み、この構造は、最初の検出を助け、表面によって又は感知プロセスによって引き起こされるゆがみ（ｗａｒｐ）の影響を最小化するのに役立つ。タグは、ページ全体を覆い、ページを１回クリックするだけでもネットページペンが少なくとも１つのタグを確実に画像化することができるように、十分に小さく、且つ密集して配置されることが好ましい。ペンとページとの対話はステートレスであるため、ページと対話するたびに、ペンがページＩＤ及び位置を認識することが重要である。
【０１３０】
好ましい一実施形態では、タグが指す領域がページ全体と一致し、したがって、タグ中に符号化された領域ＩＤが、タグが表面に現れたページのページＩＤと同義である。他の実施形態では、タグが指す領域を、ページ又は他の表面の任意の部分領域とすることができる。例えば、タグが指す領域を双方向性エレメントのゾーンと一致させることができ、その場合、領域ＩＤは、双方向性エレメントを直接に識別することができる。
【０１３１】
好ましい形態では、それぞれのタグが１２０ビットの情報を含む。一般に、領域ＩＤには最大１００ビット、タグＩＤには少なくとも１６ビットが割り当てられ、残りのビットはフラグなどに割り当てられる。タグ密度が１平方インチ当たり６４個であるとすると、１６ビットのタグＩＤは、最大１０２４平方インチの領域サイズをサポートする。単純に隣接した領域及びマップを使用することによって、タグＩＤの精度を増大させることなくより大きな領域を連続的にマップすることができる。１００ビットの領域ＩＤによって、２１００（約１０３０、即ち１００万×１兆×１兆）個の異なる領域を一意的に識別することができる。
【０１３２】
１．２．２  タグデータの符号化
一実施形態では、（１５，５）リード−ソロモン（Ｒｅｅｄ−Ｓｏｌｏｍｅｎ）符号を使用して、１２０ビットのタグデータが冗長に符号化される。この符号は、それぞれが１５個の４ビット記号からなる６個の符号語（ｃｏｄｅｗｏｒｄ）からなる３６０個の符号化されたビットを与える。（１５，５）符号は、符号語あたり５個までの記号誤りを訂正することを可能にし、即ち、符号語あたり３３％までの符号誤り率を許容する。
【０１３３】
それぞれの４ビット記号は、タグの中に空間的にコヒーレントな方法で表され、６つの符号語の記号がタグ内で空間的にインタリーブされる。このことは、バースト誤り（空間的に隣接する複数のビットに影響を及ぼす誤り）が、全体としてできるだけ少ない数の記号及び任意の１つの符号語内のできるだけ少ない数の記号に損傷を与えることを保証し、したがってバースト誤りを完全に訂正することができる可能性を最大にする。
【０１３４】
（１５，５）リード−ソロモン符号の代わりに適当な任意の誤り訂正符号、例えば、より多くの又はより少ない冗長性を有し、同じ又は異なる記号及び符号語サイズを有するリード−ソロモン符号、他のブロック符号、又は畳込み符号などの異なる種類の符号を使用することができる（例えば、その内容が参照によって組み込まれる、Ｓｔｅｐｈｅｎ  Ｂ．Ｗｉｃｋｅｒ、「Ｅｒｒｏｒ  Ｃｏｎｔｒｏｌ  Ｓｙｓｔｅｍｓ  ｆｏｒ  Ｄｉｇｉｔａｌ  Ｃｏｍｍｕｎｉｃａｔｉｏｎ  ａｎｄ  Ｓｔｏｒａｇｅ」、Ｐｒｅｎｔｉｃｅ−Ｈａｌｌ、１９９５年を参照されたい）。
【０１３５】
タグが付けられた領域との感知装置を介した「シングルクリック」対話をサポートするためには、感知装置が領域のどこにあろうとも、又はどの向きに配置されていようとも、感知装置は、その視野の中に、少なくとも１つのタグ全体を収めることができなければならない。したがって、必要な感知装置の視野の直径はタグのサイズ及び間隔の関数である。
【０１３６】
１．２．３  タグの構造
図５ａは、４つの透視ターゲット（ｐｅｒｓｐｅｃｔｉｖｅ  ｔａｒｇｅｔ）１７を有するタグ７２６の形態のタグ４を示す。タグ７２６は、６０個の４ビットリード−ソロモン記号７４７を表し、合計２４０ビットを表す。このタグでは、マクロドット（ｍａｃｒｏｄｏｔ）と呼ばれるマーク７４８が存在することによってそれぞれのビットが「１」を表し、対応するマクロドットが不在しないことによってそれぞれのビットが「０」を表す。図５ｃは、例示のためすべて「１」ビットを含む９つのタグの正方形タイリング（ｔｉｌｉｎｇ）７２８を示す。透視ターゲットは、隣接するタグ間で共有されるように設計されていることに留意されたい。図５ｄは、１６個のタグの正方形タイリング、及び２つのタグの対角線をまたぐ対応する最小視野１９３を示す。
【０１３７】
（１５，７）リード−ソロモン符号を使用すると、符号化された２４０ビットを生み出すために、１１２ビットのタグデータが冗長に符号化される。バースト誤りに対する障害許容力（ｒｅｓｉｌｉｅｎｃｅ）を最大化するために、タグ内で、４つの符号語が空間的にインタリーブされる。上記と同じく１６ビットのタグＩＤを仮定すると、これは、９２ビットまでの領域ＩＤを可能にする。
【０１３８】
タグの集団がターゲットに似た構造を生成することがないように、データを担持したタグのマクロドット７４８は、近傍のマクロドットと重ならないように設計される。これによってインクも節約される。透視ターゲットはタグの検出を可能にし、そのため、追加のターゲットが不要となる。
【０１３９】
タグは、センサに対するタグの４つの可能な方向の一義化を可能にする方向フィーチャを含むことができるが、本発明は、タグデータ内に方向データを埋め込むことに関する。例えば、図５ａに示されているように、タグのそれぞれの方向（回転上の向き）がその方向に置かれた１つの符号語を含むように、４つの符号語を配置することができる。それぞれの記号には、その符号語の番号（１〜４）及びその符号語内の記号の位置（Ａ〜Ｏ）が記されている。タグの復号は、回転方向ごとに１つの符号語を復号することからなる。それぞれの符号語は、それが第１の符号語であるかどうかを指示する単一のビットか、又はそれがどの符号語であるかを指示する２つのビットを含むことができる。後者の方法は、例えば１つの符号語のデータコンテンツだけが必要な場合に、所望のデータを得るのに最大２つの符号語を復号すればよいので有利である。これは例えば、ストローク（ｓｔｒｏｋｅ）内で領域ＩＤが変化しないと予想され、したがってストロークの最初に領域ＩＤが復号されるだけである場合に当てはまる。ストローク内では、タグＩＤを含む符号語だけが求められる。さらに、ストローク内では感知装置の回転がゆっくりと予想可能に変化するので、一般に、フレームあたり１つの符号語だけを復号すればよい。
【０１４０】
透視ターゲットを完全に省き、その代わりに、自己整合性（ｓｅｌｆ−ｒｅｇｉｓｔｅｒｉｎｇ）のデータ表現に依存することも可能である。この場合、それぞれのビット値（又はマルチビット値）が一般に、明示のグリフ（ｇｌｙｐｈ）によって表される。即ち、「０」ビット値がグリフの不在によって表される。このことは、データ格子が高密度に占有される（ｗｅｌｌ−ｐｏｐｕｌａｔｅｄ）ことを保証し、したがって、データサンプリング中に格子が確実に識別され、その透視歪み（ｐｅｒｓｐｅｃｔｉｖｅ  ｄｉｓｔｏｒｏｔｉｏｎ）が検出され、続いて補正されることを可能にする。タグ境界が検出されることを可能にするため、それぞれのタグデータはマーカパターンを含まなければならず、信頼できる検出を可能にするために、これらは冗長に符号化されなければならない。このようなマーカパターンのオーバヘッドは、明示の透視ターゲットのオーバヘッドと同様である。２００１年１０月１１日に出願された本出願の出願人の同時係属のＰＣＴ出願、ＰＣＴ／ＡＵ０１／０１２７４号には、このような様々なスキームが記載されている。
【０１４１】
図５ｃの配置７２８は、正方形タグ７２６を使用して、任意のサイズの平面にタグを敷き詰める、即ち隙間又は重なりなしにタグを配置することができることを示している。
【０１４２】
好ましい実施形態では、本明細書に記載されたタグ付けスキームが、区別のない単一のマクロドットの有無を使用して単一のデータビットを符号化するが、タグ付けスキームは、２００１年１０月１１日に出願された本出願の出願人の同時係属のＰＣＴ出願、ＰＣＴ／ＡＵ０１／０１２７４号に示されたグリフのセットなどの区別分けされたグリフのセットを使用して、シングルビット値又はマルチビット値を表すこともできる。
【０１４３】
１．３  ネットページネットワーク
好ましい一実施形態では、図３に示されているように、ネットページネットワークが、インターネットなどのネットワーク１９を介して接続された分散した一組のネットページページサーバ１０、ネットページ登録サーバ１１、ネットページＩＤサーバ１２、ネットページアプリケーションサーバ１３、ネットページ発行サーバ１４、ウェブ端末７５、ネットページプリンタ６０１及び中継装置４４からなる。
【０１４４】
ネットページ登録サーバ１１は、ユーザ、ペン、プリンタ、アプリケーション及び出版物間の関係を記録し、それによって様々なネットワーク活動を許可するサーバである。ネットページ登録サーバ１１はユーザを認証し、アプリケーショントランザクションにおいては、認証されたユーザに代わって署名の代理を務める。ネットページ登録サーバ１１はさらに手書き文字認識サービスを提供する。前述のとおり、ネットページページサーバ１０は、ページ記述及びページインスタンスに関する持続的な情報を維持する。ネットページネットワークは、それぞれがページインスタンスのサブセットを処理する任意の数のページサーバを含む。ページサーバはさらに、それぞれのページインスタンスに対するユーザ入力値を維持するので、ネットページプリンタなどのクライアントはネットページ入力を適当なページサーバに直接に送る。ページサーバは、対応するページの記述に関するこのような入力を解釈する。
【０１４５】
ネットページＩＤサーバ１２は、オンデマンドで文書ＩＤ５１を割り当て、そのＩＤ割当てスキームを介してページサーバのロードバランシングを提供する。
【０１４６】
ネットページプリンタは、インターネットディストリビューテッドネームシステム（Ｄｉｓｔｒｉｂｕｔｅｄ  Ｎａｍｅ  Ｓｙｓｔｅｍ：ＤＮＳ）又は同様のシステムを使用して、ネットページページＩＤ５０を、対応するページインスタンスを処理するネットページページサーバのネットワークアドレスにリゾルブする。
【０１４７】
ネットページアプリケーションサーバ１３は、双方向性ネットページアプリケーションを記憶したサーバである。ネットページ発行サーバ１４は、ネットページ文書をネットページプリンタに発行するアプリケーションサーバである。
【０１４８】
ネットページサーバは、ＩＢＭ、Ｈｅｗｌｅｔｔ  Ｐａｃｋａｒｄ、Ｓｕｎ社などのメーカの様々なネットワークサーバプラットホーム上に置くことができる。複数のネットページサーバを単一のホスト上で同時に動かすことができ、単一のサーバをいくつかのホストに分散させることができる。また、ネットページサーバによって提供される機能の一部又は全部、特にＩＤサーバ及びページサーバによって提供される機能の一部又は全部を、ネットページプリンタなどのネットページ機器又はコンピュータワークステーションに直接に提供し、或いはローカルネットワーク上に直接に提供することができる。
【０１４９】
１．４  ネットページプリンタ
ネットページプリンタ６０１はネットページシステムに登録された機器であり、ネットページ文書をオンデマンドで、及び定期購読によって印刷する。それぞれのプリンタは固有のプリンタＩＤ６２を有し、インターネットなどのネットワークを介して、理想的にはブロードバンド接続によってネットページネットワークに接続される。
【０１５０】
不揮発性メモリ内の識別及びセキュリティ設定を除けば、ネットページプリンタは持続的な記憶装置を含まない。ユーザに関係する限り、「ネットワークがコンピュータである（ｔｈｅ  ｎｅｔｗｏｒｋ  ｉｓ  ｔｈｅ  ｃｏｍｐｕｔｅｒ）」。ネットページは、分散型ネットページページサーバ１０の助けを借り、特定のネットページプリンタから独立し、空間及び時間を横断して、双方向的に機能する。
【０１５１】
ネットページプリンタは、定期購読されたネットページ文書をネットページ発行サーバ１４から受け取る。それぞれの文書は、２つの部分、即ちページレイアウトと、ページを埋める実際のテキストオブジェクト及び画像オブジェクトとに分けて配布される。個人化のため、ページレイアウトは一般に特定の購読者ごとに固有であり、そのため、適当なページサーバを介して購読者のプリンタにポイントキャスト（ｐｏｉｎｔｃａｓｔ）される。一方、テキストオブジェクト及び画像オブジェクトは一般に他の購読者と共有され、そのため、すべての購読者のプリンタ及び適当なページサーバにマルチキャスト（ｍｕｌｔｉｃａｓｔ）される。
【０１５２】
ネットページ発行サーバは、ポイントキャスト及びマルチキャストへの文書コンテンツのセグメンテーションを最適化する。文書のページレイアウトのポイントキャストを受け取った後、プリンタは、プリンタが受信に使用するマルチキャストを知る。
【０１５３】
印刷すべき文書を定義した完全なページレイアウト及びオブジェクトを受け取った後、プリンタはその文書を印刷することができる。
【０１５４】
プリンタは、奇数ページ及び偶数ページをラスタ化し、シートの両面に同時に印刷する。プリンタは、この目的にＭｅｍｊｅｔ（商標）印刷ヘッド３５０を利用する２重化された印刷エンジンコントローラ７６０及び印刷エンジンを含む。
【０１５５】
印刷プロセスは分離された２つの段、即ちページ記述のラスタ化と、ページ画像の展開及び印刷とからなる。ラスタ画像処理装置（ｒａｓｔｅｒ  ｉｍａｇｅ  ｐｒｏｃｅｓｓｏｒ：ＲＩＰ）は、並行して動作する１つ又は複数の標準ＤＳＰ７５７からなる。２重印刷エンジンコントローラは、印刷エンジン内の印刷ヘッドの動作と同期して、ページ画像をリアルタイムで展開し、ディザ処理し、印刷するカスタムプロセッサからなる。
【０１５６】
ＩＲ印刷能力を持たないプリンタは、ＩＲ吸収性黒インクを使用してタグを印刷する選択肢を有するが、こうすることは、タグがなければ空白になるページのエリアにタグを限定する。このようなページはＩＲ印刷されたページよりも限定された機能を有するが、これらのページもやはりネットページに分類される。
【０１５７】
通常のネットページプリンタはネットページを紙のシート上に印刷する。より特化したネットページプリンタは、球体などのより特殊な表面に印刷することができる。それぞれのプリンタは少なくとも１つの表面タイプをサポートし、表面タイプごとに少なくとも１つのタグタイリングスキーム、したがってタグマップをサポートする。文書を印刷するために実際に使用されるタグタイリングスキームを記述したタグマップ８１１は、その文書のタグを正確に解釈することができるようにその文書に関連付けられる。
【０１５８】
図２は、ネットページネットワーク上の登録サーバ１１によって維持されたプリンタ関連情報を反映したネットページプリンタクラス図を示す。
【０１５９】
１．５  ネットページペン
このネットページシステムの能動感知装置は一般に、埋め込まれたコントローラ１３４を使用して、イメージセンサを介してあるページからＩＲ位置タグを捕捉し、復号することができるペン１０１である。イメージセンサは、近赤外波長のみでの感知を可能にする適当なフィルタを備えた固体デバイスである。後により詳細に説明するが、このシステムは、ペン先（ｎｉｂ）が表面と接触したことを感知することができ、このペンは、人間の手書き文字を捕捉する十分な速度（即ち２００ｄｐｉ以上及び１００Ｈｚ以上）でタグを感知することができる。ペンによって捕捉された情報は暗号化され、プリンタ（又は基地局）に無線で送信され、プリンタ又は基地局は、（既知の）ページ構造に関してそのデータを解釈する。
【０１６０】
ネットページペンの好ましい実施形態は、通常のマーキングインクペンと非マーキングスタイラスの両方として機能する。しかしながら、インターネットインターフェースとしてペンが使用されるときなど、ネットページシステムをブラウジングシステムとして使用するのにはマーキング態様は不要である。ネットページペンはそれぞれネットページシステムに登録され、固有のペンＩＤ６１を有する。図１４は、ネットページネットワーク上の登録サーバ１１によって維持されたペン関連情報を反映したネットページペンクラス図を示す。
【０１６１】
どちらかのペン先がネットページと接触したとき、ペンは、そのページに対するペン自体の位置及び方向を決定する。ペン先は力センサに取り付けられており、ペンが「アップ」なのか又は「ダウン」なのかを指示するために、ペン先に加わった力が閾値に対して解釈される。このことは、例えばネットワーク上の情報をリクエストするために、ペンのペン先で押すことによって、ページ上の双方向エレメントを「クリックする」ことを可能にする。さらに、例えば署名の完全な動態を照合されることを可能にするため、この力は連続値として捕捉される。
【０１６２】
ペンは、ペン先の近くのページのエリア１９３を赤外スペクトルで画像化することによって、ネットページ上のペンのペン先の位置及び方向を決定する。ペンは、最も近いタグを復号し、画像化されたタグ上の観察された透視歪み及びペン光学系の既知のジオメトリから、そのタグに対するペン先の位置を計算する。タグの位置分解能は低い可能性があるが、ページ上のタグ密度はタグサイズに反比例するため、調整された位置分解能は非常に高く、正確な手書き文字認識のために必要とされる最低分解能を超える。
【０１６３】
ネットページに対するペンの運動は一連のストロークとして捕捉される。ストロークは、ページ上のタイムスタンプが押された一連のペン位置からなり、ペンダウン事象によって開始され、その後のペンアップ事象によって完了する、さらに、ページＩＤが変わるたびに、そのネットページのページＩＤ５０がストロークにタグ付けされ、通常の状況ではそれはストロークの開始時である。
【０１６４】
ネットページペンはそれぞれ、コピーアンドペーストなどの操作をユーザが実行することを可能にする、ペンに関連付けられた現在の選択（ｃｕｒｒｅｎｔ  ｓｅｌｅｃｔｉｏｎ）８２６を有する。定義された期間の後にシステムがその選択を破棄することができるように、この選択にはタイムスタンプが押される。現在の選択はページインスタンスの領域を記述する。現在の選択は、ペンを通して捕捉された、そのページのバックグラウンドエリアに対する最も最近のデジタルインクストロークからなる。現在の選択は、選択ハイパーリンク活動化を介して現在の選択があるアプリケーションに送信された後、その特定のアプリケーションに合った方法で解釈される。
【０１６５】
ペンはそれぞれ現在のペン先８２４を有する。現在のペン先８２４は、ペンによってシステムに最後に通知されたペン先である。前述のデフォルトのネットページペンの場合には、マーキングブラックインクペン先か又は非マーキングスタイラスペン先が、現在のペン先である。さらに、ペンはそれぞれ現在のペン先スタイル８２５を有する。ペン先スタイル８２５は、アプリケーションによって、例えばユーザがパレットからある色を選択したことに応答して、ペンに最後に関連付けられたペン先スタイルである。デフォルトのペン先スタイルは現在のペン先に関連付けられたペン先スタイルである。ペンを通して捕捉されたストロークには現在のペン先スタイルがタグ付けされる。続いてそれらのストロークが再現されるときには、それらのストロークにタグ付けされたペン先スタイルでそれらのストロークが再現される。
【０１６６】
ペンが、そのペンが通信することができるプリンタの範囲内にあるとき、ペンはその「オンライン」ＬＥＤをゆっくりと点滅させる。ペンが、ページに対するストロークの復号に失敗すると、ペンは、その「誤り」ＬＥＤを少しの間活動化させる。ペンが、ページに対するストロークの復号に成功すると、ペンは、その「ｏｋ」ＬＥＤを少しの間活動化させる。
【０１６７】
捕捉された一連のストロークはデジタルインクと呼ばれる。デジタルインクは、線画及び手書き文字のデジタル交換、手書き文字のオンライン認識、及び署名のオンライン照合に対する基礎を形成する。
【０１６８】
ペンは無線式であり、デジタルインクを短距離無線リンクを介してネットページプリンタに送信する。送信されたデジタルインクは、プライバシー及びセキュリティのために暗号化され、効率的な送信のためにパケット化されるが、プリンタにおける適時の処理を保証するため、ペンアップ事象が起こると常にフラッシュ（ｆｌｕｓｈ）される。
【０１６９】
プリンタの範囲外にあるとき、ペンは、デジタルインクを内部メモリにバッファし、内部メモリは、１０分を超える連続する手書き文字をバッファする容量を有する。再びプリンタの範囲内に入ると、ペンは、バッファされたすべてのデジタルインクを送信する。
【０１７０】
１本のペンを任意の数のプリンタに登録することができるが、すべての状態データは、紙上とネットワーク上の両方のネットページに存在するため、特定の時刻にペンがどのプリンタと通信しているのかはあまり重要ではない。
【０１７１】
下記では、ペンの好ましい一実施形態を、図６から８を参照してより詳細に説明する。
【０１７２】
１．６  ネットページ対話
ネットページ１と対話するためにペンが使用されているときに、ネットページプリンタ６０１は、ストロークに関するデータをペン１０１から受け取る。ストロークなどの動きを実行するためにペンが使用されているときに、タグ４の符号化されたデータ３がペンによって読み取られる。このデータは、特定のページ及び関連双方向性エレメントの識別を決定すること、並びにそのページに対するペンの相対的な位置の指示を得ることを可能にする。この指示データはプリンタに送信され、そこで、プリンタは、ＤＮＳを介して、このストロークのページＩＤ５０を、対応するページインスタンス８３０を維持するネットページページサーバ１０のネットワークアドレスにリゾルブする。プリンタは次いでそのストロークをページサーバに送信する。そのページが、以前のストロークにおいて最近識別されものである場合、プリンタは、関連ページサーバのアドレスをそのキャッシュの中に既に保有している可能性がある。ネットページはそれぞれ、ネットページページサーバによって持続的に維持されたコンパクトなページレイアウトからなる（下記参照）。ページレイアウトは、一般にネットページネットワーク上のどこかに記憶された画像、フォント及びテキスト片などのオブジェクトを指す。
【０１７３】
ペンからストロークを受け取ると、ページサーバは、そのストロークが適用されたページ記述を取り出し、そのストロークが、ページ記述のどのエレメントと交差するのかを決定する。ページサーバは次いで、その関連エレメントのタイプの文脈でそのストロークを解釈することができる。
【０１７４】
「クリック」は、ペンダウン位置とその後のペンアップ位置との間の距離及び時間がともにある最大値よりも小さいストロークである。クリックによって活動化されるオブジェクトは一般に、クリックが活動化されることを必要とし、したがってより長いストロークは無視される。登録のための「雑な（ｓｌｏｐｐｙ）」クリックなどのペンアクションの失敗は、ペンの「ｏｋ」ＬＥＤからの応答がないことよって指示される。
【０１７５】
ネットページのページ記述には２種類の入力エレメント、即ちハイパーリンク及び書式フィールドがある。書式フィールドからの入力も、関連ハイパーリンクの活動化をトリガすることができる。
【０１７６】
２  ネットページペンの説明
２．１  ペンの機構
図６及び７を参照すると、全体が参照符号１０１によって示されたペンは、ペンの諸構成要素を取り付けるための内部空間１０４を画定する壁１０３を有するプラスチック成形品の形態のハウジング１０２を含む。操作時、ハウジング１０２の一端１０６にはペントップ１０５が回転可能に取り付けられる。ハウジング１０２の反対端１０８には半透明のカバー１０７が固定される。カバー１０７も成形プラスチックからなり、ハウジング１０２内に取り付けられたＬＥＤのステータスをユーザが見ることができるようにするため半透明の材料から形成される。カバー１０７は、ハウジング１０２の端１０８を実質的に取り囲む主部１０９と、主部１０９から後方へ突き出し、ハウジング１０２の壁１０３に形成された対応するスロット１１１にぴったりとはまる突出し部１１０とを含む。突出し部１１０の背後のハウジング１０２内に無線アンテナ１１２が取り付けられる。カバー１０７の開口１１３Ａの周囲に、金属製の端片１１４を受け取るようにねじ山１１３が配置され、金属製の端片１１４は対応するねじ山１１５を含む。インクカートリッジの交換を可能にするため金属製の端片１１４は取外し可能である。
【０１７７】
さらに、カバー１０７内では、フレキシブルＰＣＢ１１７上に３色ステータスＬＥＤ１１６が取り付けられる。アンテナ１１２もフレキシブルＰＣＢ１１７に取り付けられる。どの方向からもよく視認できるように、ステータスＬＥＤ１１６はペン１０１の上面に取り付けられる。
【０１７８】
ペンは、通常のマーキングインクペンとしても、マーキング用ではないスタイラスとしても機能することができる。ハウジング１０２内には、ペン先１１９を有するインクペンカートリッジ１１８と、スタイラスペン先１２１を有するスタイラス１２０とが並んで取り付けられる。ペントップ１０５を回転させることによって、インクカートリッジペン先１１９又はスタイラスペン先１２１を、金属製の端片１１４の開端１２２を通して前進させることができる。インクカートリッジ１１８及びスタイラス１２０にはそれぞれ、それぞれのスライダブロック１２３及び１２４が取り付けられる。操作時、ペントップ１０５には回転可能なカムバレル（ｃａｍ  ｂａｒｒｅｌ）１２５が固定され、ペントップ１０５とともに回転するように配置される。カムバレル１２５は、カムバレルの壁１８１にスロットの形態のカム１２６を含む。スライダブロック１２３及び１２４から突き出したカム従動子１２７及び１２８がカムスロット１２６にぴったりとはまる。カムバレル１２５が回転すると、スライダブロック１２３又は１２４が互いに対して移動して、ペンのペン先１１９又はスタイラスペン先１２１を金属製の端片１１４の穴１２２を通して外側へ突出させる。ペン１０１は３つの動作状態を有する。トップ１０５を９０°ずつ回転させることによるこれらの３つ状態は以下のとおりである：
・  スタイラス１２０のペン先１２１が外、
・  インクカートリッジ１１８のペン先１１９が外、及び
・  インクカートリッジ１１８のペン先１１９も、スタイラス１２０のペン先１２１も外。
【０１７９】
ハウジング１０２内に置かれた電子部品シャシ（ｃｈａｓｓｉｓ）１３０上に第２のフレキシブルＰＣＢ１２９が取り付けられる。第２のフレキシブルＰＣＢ１２９は、表面に投射する赤外線放射を提供する赤外線ＬＥＤ１３１を備える。表面から反射された放射を受け取るため、第２のフレキシブルＰＣＢ１２９上にイメージセンサ１３２が取り付けられる。第２のフレキシブルＰＣＢ１２９はさらに、ＲＦ送信器及びＲＦ受信器を含む無線周波チップ１３３と、ペン１０１の動作を制御するコントローラチップ１３４とを備える。カバー１０７内に、（成形透明プラスチックから形成された）光学系ブロック１３５が置かれ、表面への赤外線ビームを投射し、イメージセンサ１３２上への画像を受け取る。電力供給線１３６が、第２のフレキシブルＰＣＢ１２９上の諸構成要素を、カムバレル１２５内に取り付けられた電池接点１３７に接続する。端子１３８が、電池接点１３７及びカムバレル１２５に接続する。カムバレル１２５内には、３ボルトの充電式電池１３９が電池接点と接触して置かれる。誘導による電池の１３９の再充電を可能にするため、第２のフレキシブルＰＣＢ１２９の周囲に誘導充電コイル１４０が取り付けられる。ペン先１１９又はスタイラスペン先１２１によって表面に加えられた力を決定することを可能にするため、第２のフレキシブルＰＣＢ１２９はさらに、書くためにスタイラス１２０又はインクカートリッジ１１８が使用されたときのカムバレル１２５内における変位を検出する赤外線ＬＥＤ１４３及び赤外線フォトダイオード１４４を備える。ＩＲフォトダイオード１４４は、スライダブロック１２３及び１２４上に取り付けられた反射器（図示せず）を介してＩＲ  ＬＥＤ１４３からの光を検出する。
【０１８０】
ペン１０１を握りやすくするために、ハウジング１０２の端１０８の近くにゴム製のグリップパッド１４１及び１４２が提供され、トップ１０５はさらに、ペン１０１をポケットにクリップ留めするためのクリップ１４２を含む。
【０１８１】
３．２  ペンコントローラ
ペン１０１は、ペン先の近くの表面のエリアを赤外線スペクトルで画像化することによって、ペン１０１のペン先（スタイラスペン先１２１又はインクカートリッジのペン先１１９）の位置を決定するように配置される。ペン１０１は、最も近い位置タグからの位置データを記録する。ペン１０１は、光学系１３５及びコントローラチップ１３４を利用して、位置タブからのペン先１２１又は１１９の距離を計算するように配置される。コントローラチップ１３４は、画像化されたタグ上で観察された透視歪みから、ペンの方向及びペン先−タグ距離を計算する。
【０１８２】
ペン１０１は、ＲＦチップ１３３及びアンテナ１１２を利用して、これらのデジタルインクデータ（このデータは、セキュリティのために暗号化され、効率的な伝送のためにパッケージ化される）をコンピューティングシステムに送信することができる。
【０１８３】
ペンが受信器の範囲内にあるとき、デジタルインクデータが形成されると、そのデータは送信される。ペン１０１が範囲外に移動すると、デジタルインクデータはペン１０１内でバッファリングされ（ペン１０１の回路は、表面上でのペンの運動の約１２分の間デジタルインクデータを記憶するように配置されたバッファを含む）、後に送信することができる。
【０１８４】
コントローラチップ１３４は、ペン１０１の内部の第２のフレキシブルＰＣＢ１２９上に取り付けられる。図８は、コントローラチップ１３４のアーキテクチャをより詳細に示すブロック図である。図８はさらに、ＲＦチップ１３３、イメージセンサ１３２、３色ステータスＬＥＤ１１６、ＩＲ照射ＬＥＤ１３１、ＩＲ力センサＬＥＤ１４３及び力センサフォトダイオード１４４の図表現を示す。
【０１８５】
ペンコントローラチップ１３４は制御プロセッサ１４５を含む。バス１４６は、コントローラチップ１３４の諸構成要素間のデータ交換を可能にする。フラッシュメモリ１４７及び５１２ＫＢ  ＤＲＡＭ１４８も含まれる。アナログ−デジタル変換器１４９は、力センサフォトダイオード１４４からのアナログ信号をデジタル信号に変換するように配置される。
【０１８６】
イメージセンサインターフェース１５２はイメージセンサ１３２とインターフェースする。ＲＦチップ１３３とインターフェースするため、トランシーバコントローラ１５３及びベースバンド回路１５４も含まれ、ＲＦチップ１３３は、ＲＦ回路１５５と、アンテナ１１２に接続されたＲＦ共振器＆インダクタ１５６とを含む。
【０１８７】
制御プロセッサ１４５は、イメージセンサ１３２を介して表面から得られたタグの位置データを捕捉、復号し、力センサフォトダイオード１４４を監視し、ＬＥＤ１１６、１３１及び１４３を制御し、無線トランシーバ１５３を介した短距離無線通信を処理する。制御プロセッサ１４５は、中程度の性能（約４０ＭＨｚ）の汎用ＲＩＳＣプロセッサである。
【０１８８】
プロセッサ１４５、デジタルトランシーバの構成要素（トランシーバコントローラ１５３及びベースバンド回路１５４）、イメージセンサインターフェース１５２、フラッシュメモリ１４７及び５１２ＫＢ  ＤＲＡＭ１４８は、単一のコントローラＡＳＩＣに組み込まれる。アナログＲＦ構成要素（ＲＦ回路１５５及びＲＦ共振器＆インダクタ１５６）は別個のＲＦチップ上に提供される。
【０１８９】
イメージセンサはＣＣＤ又はＣＭＯＳイメージセンサである。タグ付けスキームに応じて、イメージセンサは、約１００×１００画素から２００×２００画素までの範囲のサイズを有する。Ｎａｔｉｏｎａｌ  Ｓｅｍｉｃｏｎｄｕｃｔｏｒ社のＬＭ９６３０を含む多くの小型ＣＭＯＳイメージセンサが市販されている。
【０１９０】
ペン１０１が表面と接触していないとき、コントローラＡＳＩＣ１３４は、ある不活動期間の後に休止状態に入る。コントローラＡＳＩＣ１３４は、力センサフォトダイオード１４４を監視し、ペンダウン事象が起こったときにパワーマネージャ１５１を介してコントローラ１３４を目覚めさせる専用回路１５０を含む。
【０１９１】
無線トランシーバは、コードレス電話によって通常使用されている免許の要らない９００ＭＨｚバンド、或いは免許の要らない２．４ＧＨｚの産業科学医療用（ＩＳＭ：ｉｎｄｕｓｔｒｉａｌ，ｓｃｉｅｎｔｉｆｉｃ  ａｎｄ  ｍｅｄｉｃａｌ）バンドで通信し、周波数ホッピング及び衝突検出を使用して、干渉のない通信を提供する。
【０１９２】
代替実施形態では、ペンが、基地局即ちネットページプリンタと短距離通信するためのインフラレッドデータアソシエーション（Ｉｎｆｒａｒｅｄ  Ｄａｔａ  Ａｓｓｏｃｉａｔｉｏｎ：ＩｒＤＡ）インターフェースを含む。
【０１９３】
他の実施形態では、ペン１０１が、ペン１０１軸の垂直面に取り付けられた一対の直交加速度計を含む。図７及び８では、加速度計１９０がゴースト輪郭線で示されている。
【０１９４】
加速度計を配置することによって、ペン１０１のこの実施形態は、表面の位置タグを参照することなく運動を感知することができ、このことは、位置タグをより低速でサンプリングすることを可能にする。それぞれの位置タグＩＤは次いで、表面上の位置ではなく関心のオブジェクトを識別することができる。例えば、オブジェクトがユーザインターフェース入力エレメント（例えばコマンドボタン）である場合、入力エレメントのエリア内のそれぞれの位置タグのタグＩＤはその入力エレメントを直接に識別することができる。
【０１９５】
加速度計によって測定されたｘ方向及びｙ方向のそれぞれの加速度は時間について積分されて、瞬間速度及び位置を生成する。
【０１９６】
ストロークの開始位置は不明のため、ストローク内の相対位置だけが計算される。位置積分は、感知された加速度の誤差を蓄積するが、加速度計は一般に高い分解能を有し、誤差が蓄積するストロークの持続時間は短い。
【０１９７】
３  ネットページプリンタの説明
３．１  プリンタの機構
完全に組み立てられた垂直取付け型のネットページウォールプリンタ６０１が図９に示されている。ネットページウォールプリンタ６０１は、図１０及び１０ａに示された２重８  １／２インチＭｅｍｊｅｔ（商標）印刷エンジン６０２及び６０３を使用して、ネットページをレター／Ａ４サイズの媒体に印刷する。ネットページウォールプリンタ６０１はまっすぐな紙経路を使用し、紙６０４は、シートの両面にフルカラー、フルブリード（ｆｕｌｌ  ｂｌｅｅｄ）で同時印刷する２重印刷エンジン６０２及び６０３を通過する。
【０１９８】
一体型の紙綴じアセンブリ６０５が、印刷されたそれぞれのシートの一縁に沿って糊（ｇｌｕｅ）のストリップを塗布し、それによって、そのシートを前のシートに押し付けたときにそのシートを前のシートに接着することができる。これによって綴じられた最終的な文書６１８が作成され、綴じられた最終的な文書６１８は１枚から数百枚の範囲の厚さを有することができる。
【０１９９】
２重印刷エンジンに結合された図１２に示された交換可能インクカートリッジ６２７は、定着剤、接着剤並びにシアン、マゼンタ、イエロー、ブラック及び赤外線インクを貯蔵するためのブラダ又はチャンバを有する。カートリッジはさらに、ベース成形物内にマイクロエアフィルタを含む。マイクロエアフィルタは、ホース６３９を介してプリンタの内側の空気ポンプ６３８とインターフェースする。このマイクロエアフィルタは、ろ過された空気を印刷ヘッドに供給して、さもなければ印刷ヘッドのノズルを詰まらせる可能性があるＭｅｍｊｅｔ（商標）印刷ヘッド３５０内へのマイクロ粒子の進入を防ぐ。カートリッジ内にエアフィルタを組み込むことによって、フィルタの動作寿命がカートリッジの寿命に効果的に結び付けられる。インクカートリッジは、３０００ページ（１５００シート）の印刷及び糊付け能力を有する完全にリサイクル可能な製品である。
【０２００】
図１０を参照すると、モータ駆動の媒体ピックアップローラアセンブリ６２６が、媒体トレーの一番上のシートを、第１の印刷エンジン６０２上の紙センサを経て、２重Ｍｅｍｊｅｔ（商標）印刷ヘッドアセンブリ内へ直接に押し出す。２つのＭｅｍｊｅｔ（商標）印刷エンジン６０２及び６０３は、まっすぐな紙経路に沿って、対向直列逐次（ｏｐｐｏｓｉｎｇ  ｉｎ−ｌｉｎｅ  ｓｅｑｕｅｎｔｉａｌ）構成に取り付けられている。紙６０４は、一体型の電動式ピックアップローラ６２６によって第１の印刷エンジン６０２内へ引っ張り込まれる。紙６０４の位置及びサイズが感知され、フルブリード印刷が始まる。同時に、乾燥を助けてできるだけ短時間で乾燥するように、定着剤が印刷される。
【０２０１】
紙は、ゴム引きローラに対して作用する（まっすぐな紙経路に沿って整列した）一組の電動式出口スパイクホイールを通って第１のＭｅｍｊｅｔ（商標）印刷エンジン６０２を出る。これらのスパイクホイールは「湿った」印刷表面と接触し、引き続き第２のＭｅｍｊｅｔ（商標）印刷エンジン６０３内へシート６０４を供給する。
【０２０２】
図１０及び１０ａを参照すると、紙６０４は、２重印刷エンジン６０２及び６０３から紙綴じアセンブリ６０５内へ移動する。印刷されたページは、繊維質の支持ローラを有する電動式スパイクホイール軸（ａｘｌｅ）６７０と、スパイクホイール及び瞬間作用糊ホイールを有する別の可動軸との間を通過する。可動軸／糊アセンブリ６７３は金属製の支持ブラケットに取り付けられ、可動軸／糊アセンブリ６７３は前方へ送られて、カム軸の作用により歯車を介して電動軸６７０とインターフェースする。このカム軸は別個のモータが駆動する。
【０２０３】
糊ホイールアセンブリ６７３は、インクカートリッジ６２７から延びる糊供給ホース６４１との回転軸継手を有する部分的に中空の軸６７９からなる。この軸６７９は、毛管作用によって半径方向の穴を通して接着剤を吸い込む糊ホイールに接続する。前面に開口を有する成形ハウジング６８２が糊ホイールを取り囲む。金属ブラケットには、軸回転するサイドモールディング及びばね仕掛けの外扉が取り付けられ、これらは、アセンブリ６７３の残りの部分が前方へ押し出されたときに蝶番式に横に開く。この動きによって、成形ハウジング６８２の前面から糊ホイールが露出する。不活動期間の間は引張ばねがこのアセンブリを閉じ、糊ホイールに効果的にふたをする。
【０２０４】
糊ホイールアセンブリ６７３内へシート６０４が入ると、シート６０４が紙綴じアセンブリ６０５内へ下方へ送られるときに、（文書の最初のシートを除く）表側の一方の垂直縁に接着剤が塗布される。
【０２０５】
４  製品タグ付け
自動識別は、バーコード、磁気ストライプカード、スマートカード、ＲＦトランスポンダなどの技術の使用をして、データ処理システムに対するオブジェクトを手による打鍵なしで（半）自動的に識別することを指す。
【０２０６】
自動識別の目的のため、製品アイテムは普通、印刷されたバーコードの形態に機械可読に符号化された１２桁のユニバーサルプロダクトコード（Ｕｎｉｖｅｒｓａｌ  Ｐｒｏｄｕｃｔ  Ｃｏｄｅ：ＵＰＣ）によって識別される。最も一般的なＵＰＣナンバリングシステムは、５桁のメーカ番号及び５桁のアイテム番号を含む。その限られた精度のため、ＵＰＣは、製品の種別を識別するために使用され、個々の製品アイテムを識別するためには使用されない。ユニフォームコードカウンシル（Ｕｎｉｆｏｒｍ  Ｃｏｄｅ  Ｃｏｕｎｃｉｌ）及びＥＡＮインターナショナル（ＥＡＮ  Ｉｎｔｅｒｎａｔｉｏｎａｌ）は、ＵＰＣ及び関連コードを、１４桁のグローバルトレードアイテムナンバー（Ｇｌｏｂａｌ  Ｔｒａｄｅ  Ｉｔｅｍ  Ｎｕｍｂｅｒ：ＧＴＩＮ）のサブセットと定義し、管理している。
【０２０７】
サプライチェーンマネジメントにおいては、個々の製品アイテムを一意的に識別し、それによって個々の製品アイテムを追跡できるようにするために、ＵＰＣスキームを拡張し、又は別のものに置き換えることにかなりの関心が集まっている。個々のアイテムのタグ付けは、商品の紛失、盗難又は損傷による「縮小」を低減させ、需要主導型の製造及び供給の効率を向上させ、製品使用のプロファイリングを容易にし、顧客経験（ｃｕｓｔｏｍｅｒ  ｅｘｐｅｒｉｅｎｃｅ）を向上させることができる。
【０２０８】
個々のアイテムのタグ付けには主に２つの競争相手がある。いわゆる２次元バーコードの形態の光学タグと、無線周波識別（ｒａｄｉｏ  ｆｒｅｑｕｅｎｃｙ  ｉｄｅｎｔｉｆｉｃａｔｉｏｎ：ＲＦＩＤ）タグである。ＲＦＩＤタグの詳細な説明については、Ｋｌａｕｓ  Ｆｉｎｋｅｎｚｅｌｌｅｒ、ＲＦＩＤ  Ｈａｎｄｂｏｏｋ、Ｊｏｈｎ  Ｗｉｌｅｙ  ＆  Ｓｏｎ（１９９９）を参照されたい。この文献の内容は相互参照によって本明細書に組み込まれる。光学タグには安価であるという利点があるが、読み取るためには光学見通し線（ｏｐｔｉｃａｌ  ｌｉｎｅ−ｏｆ−ｓｉｇｈｔ）が必要である。ＲＦＩＤタグには全方向読取りをサポートするという利点があるが、比較的に高価である。金属又は液体の存在は、ＲＦＩＤタグの性能を相当に妨害する可能性があり、全方向読取りの利点を低下させる。受動型（リーダ給電型）ＲＦＩＤタグは、２００３年末までに数百万個の生産で１つ１０セント、その後すぐに１つ５セントにすることが計画されているが、それでも、食料雑貨品などの安価なアイテムに対する業界目標である１セント未満には到達しない。大部分の光学タグが読取り専用であることも欠点として挙げられている。これは、アイテムがサプライチェーンを進むときの状態変化をタグに書き込むことができないことによる。しかしながら、この欠点は、読取り専用タグが、ネットワーク上に動的に維持された情報を参照することができることによって緩和される。
【０２０９】
マサチューセッツ工科大学（ＭＩＴ）のＡｕｔｏ−ＩＤ  Ｃｅｎｔｅｒは、インターネットベースのオブジェクトネーミングサービス（Ｏｂｊｅｃｔ  Ｎａｍｅ  Ｓｅｒｖｉｃｅ：ＯＮＳ）及びプロダクトマークアップランゲージ（Ｐｒｏｄｕｃｔ  Ｍａｒｋｕｐ  Ｌａｎｇｕａｇｅ：ＰＭＬ）と結合された９６ビットのエレクトロニックプロダクトコード（Ｅｌｅｃｔｒｏｎｉｃ  Ｐｒｏｄｕｃｔ  Ｃｏｄｅ：ＥＰＣ）規格を開発した。スキャンされ又は他の方法で取得された後、ＥＰＣは、ＰＭＬでポータブルに符号化されたマッチング製品情報を、おそらくはＯＮＳを介して探索するために使用される。ＥＰＣは、８ビットのヘッダ、２８ビットのＥＰＣマネージャ、２４ビットのオブジェクトクラス及び３６ビットのシリアル番号からなる。ＥＰＣの詳細な説明については、Ｂｒｏｃｋ，Ｄ．Ｌ．、「Ｔｈｅ  Ｅｌｅｃｔｒｏｎｉｃ  Ｐｒｏｄｕｃｔ  Ｃｏｄｅ（ＥＰＣ）」、ＭＩＴ  Ａｕｔｏ−ＩＤ  Ｃｅｎｔｅｒ（２００１年１月）を参照されたい。この文献の内容は相互参照によって本明細書に組み込まれる。Ａｕｔｏ−ＩＤ  Ｃｅｎｔｅｒは、ＥＰＣと現行のプラクティスとの間の両立性を示すため、ＥＰＣ上へのＧＴＩＮのマッピングを定義した（Ｂｒｏｃｋ，Ｄ．Ｌ．、「Ｉｎｔｅｇｒａｔｉｎｇ  ｔｈｅ  Ｅｌｅｃｔｒｏｎｉｃ  Ｐｒｏｄｕｃｔ  Ｃｏｄｅ（ＥＰＣ）ａｎｄ  ｔｈｅ  Ｇｌｏｂａｌ  Ｔｒａｄｅ  Ｉｔｅｍ  Ｎｕｍｂｅｒ（ＧＴＩＮ）」、ＭＩＴ  Ａｕｔｏ−ＩＤ  Ｃｅｎｔｅｒ（２００１年１１月）。この文献の内容は相互参照によって本明細書に組み込まれる）。ＥＰＣは、ＥＡＮとＵＣＣの共同事業体であるＥＰＣｇｌｏｂａｌによって管理される。
【０２１０】
ＥＰＣは技術的に中立であり、多くの形態で符号化し、添付することができる。Ａｕｔｏ−ＩＤ  Ｃｅｎｔｅｒは、低価格の受動型ＲＦＩＤタグを使用してＥＰＣを添付することを強く主張し、ＲＦＩＤタグの価格を短期間に最小化することを可能にするために６４ビット版のＥＰＣを定義した。低価格ＲＦＩＤタグの特性の詳細な説明については、Ｓａｒｍａ，Ｓ．、「Ｔｏｗａｒｄｓ  ｔｈｅ  ５ｃ  Ｔａｇ」、ＭＩＴ  Ａｕｔｏ−ＩＤ  Ｃｅｎｔｅｒ（２００１年１１月）を参照されたい。この文献の内容は相互参照によって本明細書に組み込まれる。市販の低価格受動型ＲＦ１Ｄタグの説明については、「９１５ＭＨｚ  ＲＦＩＤ  Ｔａｇ」、Ａｌｉｅｎ  Ｔｅｃｈｎｏｌｏｇｙ（２００２）を参照されたい。この文献の内容は相互参照によって本明細書に組み込まれる。６４ビットＥＰＣの詳細な説明については、Ｂｒｏｃｋ，Ｄ．Ｌ．、「Ｔｈｅ  Ｃｏｍｐａｃｔ  Ｅｌｅｃｔｒｏｎｉｃ  Ｐｒｏｄｕｃｔ  Ｃｏｄｅ」、ＭＩＴ  Ａｕｔｏ−ＩＤ  Ｃｅｎｔｅｒ（２００１年１１月）を参照されたい。この文献の内容は相互参照によって本明細書に組み込まれる。
【０２１１】
ＥＰＣは、アイテムレベルの固有タグ付け及び追跡に対して使用するだけでなく、ケースレベル及びパレットレベルのタグ付け、並びにコンテナ、トラックなどの他の出荷及び輸送ロジスティック単位のタグ付けに使用することも意図される。分散型ＰＭＬデータベースは、アイテムとより高レベルの容器との間の包装、出荷及び輸送階層における動的関係を記録する。
【０２１２】
４．１  サプライチェーンにおけるＨｙｐｅｒｌａｂｅｌ（商標）タグ付け
製品アイテムを一意的に識別するために不可視（例えば赤外線）タグ付けスキームを使用することには、それによって、製品の包装又はラベルのグラフィックデザインに影響を与えることなく、製品の表面全体又は製品の表面のかなりの部分にタグ付けすることができるという重要な利点がある。製品の表面全体にタグ付けされる場合、製品の向きは、製品の被スキャン能力に影響を及ぼさない。即ち、可視バーコードの見通し線に関する欠点のかなりの部分が排除される。さらに、このタグは小さく、広範囲に模写されるため、ラベルの損傷もスキャニングを妨げない。
【０２１３】
Ｈｙｐｅｒｌａｂｅｌのタグ付けは、製品アイテムの表面の大きな部分を、光学的に読取り可能な不可視タグで覆うことからなる。Ｈｙｐｅｒｌａｂｅｌタグはそれぞれ、タグがその表面に現れた製品アイテムを一意的に識別する。Ｈｙｐｅｒｌａｂｅｌは、アイテムの製品コード（例えばＥＰＣ）を直接に符号化することができ、又はデータベースを探索することによって製品コードを識別する代用ＩＤを符号化することができる。それぞれのＨｙｐｅｒｌａｂｅｌタグはさらに、任意選択で、製品アイテムの表面のタグ自体の位置を識別し、以前に説明したネットページ双方向性の利益を下流消費者に提供する。
【０２１４】
Ｈｙｐｅｒｌａｂｅｌタグは、製品の製造及び／又は包装中にデジタルプリンタを使用して取り付けられる。このデジタルプリンタは、他の手段によってテキスト及びグラフィックが印刷された後にＨｙｐｅｒｌａｂｅｌタグを印刷するアドオン赤外線プリンタ、又はＨｙｐｅｒｌａｂｅｌタグ、テキスト及びグラフィックを同時に印刷する一体型カラー／赤外線プリンタとすることができる。デジタル印刷されたテキスト及びグラフィックは、ラベル又は包装上のあらゆるものを含むことができ、或いは、可変部分だけからなり、他の部分はこれまでどおり他の手段によって印刷することもできる。
【０２１５】
４．２  Ｈｙｐｅｒｌａｂｅｌ（商標）タグ付け
図１３に示されているように、製品の固有アイテムＩＤ２１５は、固有オブジェクトＩＤ２１０の特別な種類として見ることができる。エレクトロニックプロダクトコード（ＥＰＣ）２２０はアイテムＩＤの１つの新興規格である。アイテムＩＤは一般に製品ＩＤ２１４及びシリアル番号２１３からなる。製品ＩＤは製品のクラスを識別し、シリアル番号は、そのクラスの特定のインスタンス、即ち個々の製品アイテムを識別する。製品ＩＤは一般に、メーカ番号２１１及び製品クラス番号２１２からなる。最もよく知られた製品ＩＤは、ＥＡＮ．ＵＣＣユニバーサルプロダクトコード（ＵＰＣ）２２１及びその異形である。
【０２１６】
図１４に示されているように、Ｈｙｐｅｒｌａｂｅｌタグ２０２は、ページＩＤ（又は領域ＩＤ）５０及び２次元（２Ｄ）位置８６を符号化する。領域ＩＤはタグを含む表面領域を識別し、位置は、２次元領域内のタグの位置を識別する。当該表面は現実の製品アイテム２０１の表面であるため、領域ＩＤと製品アイテムの固有オブジェクトＩＤ２１０、より具体的には領域ＩＤと製品アイテムのアイテムＩＤ２１５との間１対１写像を定義することが有用である。しかしながら、Ｈｙｐｅｒｌａｂｅｌタグの有用性を危うくすることなく、この写像を多対１とすることができることに留意されたい。例えば、製品アイテムの包装のそれぞれのパネルは、異なる領域ＩＤ５０を有することができる。反対に、ＨｙｐｅｒｌａｂｅｌタグはアイテムＩＤを直接に符号化することができ、この場合、領域ＩＤは、全体のネットページ領域ＩＤ割当てからアイテムＩＤ割当てを分離するように適当にプレフィクス（ｐｒｅｆｉｘ）が付けられたアイテムＩＤを含む。領域ＩＤは、対応する表面領域を、グローバルネットページシステム内で識別される他のすべての表面領域から一意的に区別することに留意されたい。
【０２１７】
アイテムＩＤ２１５は、Ａｕｔｏ−ＩＤ  Ｃｅｎｔｅｒによって提案されたＥＰＣ２２０であることが好ましい。これは、ＨｙｐｅｒｌａｂｅｌタグとＥＰＣを添付したＲＦＩＤタグとの間の直接の両立性を提供するためである。
【０２１８】
図１４には、任意選択として位置８６が示されている。これは、サプライチェーンにおけるＨｙｐｅｒｌａｂｅｌタグの有用性の多くの部分は領域ＩＤ５０に由来することを示すためであり、特定の製品について希望されない場合には、この位置を省略してもよい。
【０２１９】
ネットページシステムとの相互運用性のため、Ｈｙｐｅｒｌａｂｅｌタグ２０２はネットページタグ４であり、即ち、Ｈｙｐｅｒｌａｂｅｌタグ２０２は、ネットページタグの論理構造、現実のレイアウト及びセマンティクスを有する。
【０２２０】
ネットページペン１０１などのネットページ感知装置がＨｙｐｅｒｌａｂｅｌタグを画像化し、復号するとき、その視野の中のタグの位置及び方向を使用し、これを、タグの中の符号化された位置と組み合わせて、タグに対する感知装置自体の位置を計算する。Ｈｙｐｅｒｌａｂｅｌがタグ付けされた表面領域に対して感知装置が移動すると、それによって、感知装置は、その領域に対する装置自体の運動を追跡し、その時間変化する経路を表すタイムスタンプが押された一組の位置サンプルを生成することができる。感知装置がペンであるとき、この経路は一連のストロークからなり、それぞれのストロークは、ペンが表面と接触したときに始まり、ペンが表面から離れたときに終わる。
【０２２１】
あるストロークが、領域ＩＤを担当するページサーバＩＤに転送されると、サーバは、領域ＩＤによってキーされた（ｋｅｙｅｄ）領域の記述を取り出し、その記述に関してストロークを解釈する。例えば、その記述がハイパーリンクを含み、そのストロークがそのハイパーリンクのゾーンと交差する場合、サーバは、そのストロークをそのハイパーリンクの指定と解釈し、そのハイパーリンクを活動化することができる。
【０２２２】
４．３  Ｈｙｐｅｒｌａｂｅｌ（商標）タグの印刷
Ｈｙｐｅｒｌａｂｅｌタグプリンタは、製品の製造及び／又は組立ての前、最中又は後に、Ｈｙｐｅｒｌａｂｅｌタグを製品のラベル、包装又は実際の表面に印刷するデジタルプリンタである。Ｈｙｐｅｒｌａｂｅｌタグプリンタはネットページプリンタ６０１の特別なケースである。Ｈｙｐｅｒｌａｂｅｌタグプリンタは、Ｈｙｐｅｒｌａｂｅｌタグの連続パターンを、一般に近赤外線吸収インクを使用して表面に印刷する能力を有する。高速環境では、プリンタが、タグレンダリングを加速するハードウェアを含む。これは一般に、タグ位置などの可変タグデータのリアルタイムリード−ソロモン符号化、及び印刷ヘッドのドット分解能での、実際のタグパターンのテンプレートベースのリアルタイムレンダリングを含む。
【０２２３】
このプリンタは、他の手段によってテキスト及びグラフィックが印刷された後にＨｙｐｅｒｌａｂｅｌタグを印刷するアドオン赤外線プリンタ、又はＨｙｐｅｒｌａｂｅｌタグ、テキスト及びグラフィックを同時に印刷する一体型カラー／赤外線プリンタとすることができる。デジタル印刷されたテキスト及びグラフィックは、ラベル又は包装上のあらゆるものを含むことができ、或いは、可変部分だけからなり、他の部分はこれまでどおり他の手段によって印刷することもできる。したがって、赤外線及びブラック印刷能力を有するＨｙｐｅｒｌａｂｅｌタグプリンタを、可変データの印刷に使用されている従来の熱転写又はインクジェットプリンタなどの既存のデジタルプリンタの代わりに使用することができる。
【０２２４】
以下の議論の目的上、アイテムラベル上に印刷すると言うときには、通常はアイテムの包装に印刷すること、又はアイテムに表面に直接に印刷することを含むことが意図される。さらに、アイテムＩＤ２１５への言及は、領域ＩＤ５０（又はパネルごとの領域ＩＤの集合）或いはその構成要素を含むことが意図される。
【０２２５】
このプリンタは一般に、固定及び／又は可変のテキスト及びグラフィック、並びにＨｙｐｅｒｌａｂｅｌタグに含めるアイテムＩＤをプリンタに供給するホストコンピュータによって制御される。このホストコンピュータは、プリンタのリアルタイム制御を提供することができ、それにより、ホストコンピュータは、印刷の進行に合わせてデータをプリンタにリアルタイムで供給する。最適化として、ホストコンピュータは、印刷が始まる前にプリンタに固定データを供給し、可変データだけをリアルタイムで提供してもよい。このプリンタはさらに、ホストコンピュータによって供給されるパラメータに基づいてアイテムごとの可変データを生成する能力を有してもよい。例えば、ホストコンピュータは、印刷の前にベースアイテムＩＤをプリンタに供給することができ、プリンタは、このベースアイテムＩＤを単純に増分して、連続するアイテムＩＤを生成することができる。或いは、インクカートリッジ内の記憶装置又はプリンタに挿入された他の記憶媒体を固有アイテムＩＤの供給元とすることができ、その場合、プリンタは、ホストコンピュータによって記録するために、アイテムＩＤの割当てをホストコンピュータに報告する。
【０２２６】
或いは、このプリンタは、以前の製造ステップ中に固有ＩＤがある形態でラベルに印刷されている場合に、Ｈｙｐｅｒｌａｂｅｌタグが印刷されているラベルから、既存のアイテムＩＤを読み取る能力を有することができる。例えば、アイテムＩＤが、可視２Ｄバーコードの形態又はＲＦＩＤタグ内に符号化されて、既に存在することがある。前者の場合、プリンタは、光学バーコードスキャナを含むことができる。後者の場合、プリンタは、ＲＦＩＤリーダを含むことができる。
【０２２７】
プリンタはさらに、アイテムＩＤを他の形態にレンダリングする能力を有することができる。例えば、プリンタは、２Ｄバーコードの形態のアイテムＩＤを印刷し、或いは１Ｄバーコードの形態のアイテムＩＤの製品ＩＤ構成要素を印刷し、或いは書込み可能なＲＦＩＤタグ又はライトワンス（ｗｒｉｔｅ−ｏｎｃｅ）ＲＦＩＤタグにアイテムＩＤを書き込む能力を有することができる。
【０２２８】
４．４  Ｈｙｐｅｒｌａｂｅｌ（商標）タグのスキャニング
アイテム情報は一般に、存在するスキャン事象に応答して、例えばアイテムが配送され、在庫品とするためにスキャンされるとき、アイテムが小売店の商品棚に置かれるとき、及びアイテムが販売時にスキャンされるときに、製品サーバへと流れる。ネットページペンに使用されている技術と同様の技術又は同じ技法を使用したレーザベースの２Ｄスキャニング及び２Ｄイメージセンサベースのスキャニングを使用して、Ｈｙｐｅｒｌａｂｅｌタグが付けられた製品アイテムをスキャンするのには、固定スキャナとハンドヘルドスキャナの両方を使用することができる。
【０２２９】
図１６に示されているように、固定スキャナ２５４及びハンドヘルドスキャナ２５２はともに、製品サーバ２５１にスキャンデータを送信する。製品サーバは、関連製品サーバとのデータの共有を実現することができる同位（ｐｅｅｒ）製品サーバ（図示せず）又は製品アプリケーションサーバ２５０に、製品アイテム事象データを送信することができる。例えば、小売店の在庫の動きは、小売店の製品サーバ上にローカルに記録することができるが、製品アイテムが販売された後にメーカの製品サーバに通知することもできる。
【０２３０】
４．５  Ｈｙｐｅｒｌａｂｅｌ（商標）タグに基づくネットページ双方向性
ラベル、包装又は実際の表面にＨｙｐｅｒｌａｂｅｌがタグ付けされた製品アイテムは、他のネットページと同じレベルの双方向性を提供する。
【０２３１】
ネットページと両立する製品タグ付けに対しては強力な主張がなされている。ネットページは、印刷された任意の表面を、ウェブページと同類の細かく区別されたグラフィカルユーザインターフェースに変え、製品の表面へうまくマップする多くのアプリケーションがある。これらのアプリケーションには、様々な種類の製品情報（栄養情報、調理説明書、レシピ、関連製品、賞味期限、サービス説明書、リコール通知）を得ること、ゲームをすること、競技会に参加すること、所有権を管理する（登録、盗品の場合などの問合せ、譲渡）こと、製品フィードバックを提供すること、メッセージ送信、及び間接装置コントロールなどがある。一方、区別のない２Ｄバーコード又はＲＦＩＤに添付されたアイテムＩＤの場合など、製品タグ付けが画一的である場合、情報ナビゲーションの負担が情報送付装置に伝えられ、情報送付装置が、ユーザ経験の複雑さ又は送付装置ユーザインターフェースの要求される洗練度をかなり増大させる可能性がある。
【０２３２】
次に、以下の実施例を参照して本発明を説明する。しかし、当然のこと、添付の特許請求の範囲に定義された本発明の範囲を逸脱することなく、本発明を、他の多くの形態で具体化することができることが理解される。
【０２３３】
４．７  レイアウトデータを符号化したＨｙｐｅｒｌａｂｅｌ（商標）タグ
前述のとおり、Ｈｙｐｅｒｌａｂｅｌがタグ付けされた表面には、Ｈｙｐｅｒｌａｂｅｌタグの連続アレイが印刷されている。Ｈｙｐｅｒｌａｂｅｌタグは一般に、製品アイテムの固有識別子（例えばＥＰＣ）及びデジタル署名（１つ又は複数）、並びに２次元座標格子を符号化する。
【０２３４】
ラベル及び包装を生産するのには、グラビア、活版、オフセット、フレキソ及びデジタル印刷を含むある範囲のアナログ印刷プロセスが使用される。一部の包装は複数のプロセスを順番に使用して生み出される。例えば、包装のグラフィックを巻取紙フレキソ印刷機で印刷することができ、完成したそれぞれ包装紙上に、バッチ情報及び期限情報が、レーザマーキング又はインクジェットを使用してデジタル印刷される。
【０２３５】
Ｈｙｐｅｒｌａｂｅｌタグは、カラー印刷機の前又は後に置かれたアドオンデジタルプリンタを使用してデジタル印刷することができる。Ｈｙｐｅｒｌａｂｅｌデジタルアドオンプリンタは、前述のＭｅｍｊｅｔ印刷ヘッド、又はＨＰ  Ｉｎｄｉｇｏ、Ｘａａｒ、Ｘｅｉｋｏｎ、Ａｇｆａ．ｄｏｔｒｉｘ、ＶｉｄｅｏＪｅｔ、Ｍａｒｋ  Ａｎｄｙなどのある範囲の任意の市販レーザ及びインクジェット印刷ヘッドを利用することができる。Ｈｙｐｅｒｌａｂｅｌデジタルプリンタは、プリンタが追加されるラインに応じて巻取紙又は枚葉紙プリンタとすることができる。
【０２３６】
印刷されたグラフィックとＨｙｐｅｒｌａｂｅｌタグとの間の位置合せを保証するために、アドオンデジタルプリンタはカラー印刷機と同期していなければならない。これは、従来の手段によって、例えば刷りの印刷と同期した電子信号をカラー印刷機内で生成し、その信号をＨｙｐｅｒｌａｂｅｌプリンタに供給することによって、達成することができる。或いは、Ｈｙｐｅｒｌａｂｅｌプリンタは、ダイカッタをカラー印刷機と同期させるために時に使用されるカラー印刷機によって印刷される基準を、光学的に検出することができる。
【０２３７】
Ｈｙｐｅｒｌａｂｅｌプリンタは、カラー印刷機とおおまかに同期させることができるだけであり、微細な同期は、予めタグ付けされたネットページの余白に関して他のセクションで説明したように、達成される実際の位置合せ精度を測定し、対応するオフセットをネットページサーバデータベースに記録することによって達成することができる。この測定は、包装がまだ巻取紙若しくは枚葉紙の形態にある間に、又は折りたたまれた後に、或いは製品アイテムに使用された後に実施することができる。前者の場合には、例えば前述の基準を介した製品グラフィックの位置合せ精度の検出が依然として必要であり、後者の場合には、ラインに沿って通過する個々の包装によって製品グラフィックの位置合せ精度が決定される。これは、ラインの設計において本来的に備わっていることがあり、又はアイテムの通過を検出する光検出器を含むことができる。Ｈｙｐｅｒｌａｂｅｌタグパターンの検出は、いずれの場合もＨｙｐｅｒｌａｂｅｌリーダを使用する。
【０２３８】
巻取紙又は枚葉紙に、連続する大きな２次元座標空間を符号化し、明示のアイテム識別子を符号化しないＨｙｐｅｒｌａｂｅｌタグを予め印刷する（又は上流のデジタルＨｙｐｅｒｌａｂｅｌプリンタによってインラインで印刷する）ことができる。カラー印刷機を通過した後、それぞれのアイテムの包装は異なる範囲の座標を有する。これらの座標を前述のとおりに検出し、そのアイテム及びそのアイテム識別子に関連付けられたネットページサーバデータベース（及び／又は製品データベース）に記録することができる。続いて、特定のアイテム上のＨｙｐｅｒｌａｂｅｌタグが読み取られるときに、ネットページサーバ（又は製品サーバ）に問い合わせることによって、その座標をアイテム識別子に変換することができる。
【０２３９】
Ｍｅｍｊｅｔデジタル印刷ヘッドに関して以前に説明したように、製品グラフィックとＨｙｐｅｒｌａｂｅｌタグの両方を印刷するように、デジタル印刷ヘッドを適合させることができる。追加の赤外線インクチャネルを提供することによって、他のデジタル印刷ヘッドも同様に適合させることができる。
【０２４０】
Ｈｙｐｅｒｌａｂｅｌタグをデジタル印刷する代わりに、グラビア、活版、オフセット、フレキソ印刷などのアナログプロセスを、例えば製品グラフィックを印刷するのに使用されるカラー印刷機と同じカラー印刷機で使用してＨｙｐｅｒｌａｂｅｌタグを印刷することもできる。カラー印刷機は、追加の赤外線インクチャネルを提供することによって、即ちＨｙｐｅｒｌａｂｅｌタグの画像を有する追加の版（ｐｌａｔｅ）を提供することによって、Ｈｙｐｅｒｌａｂｅｌタグを印刷するように適合される。Ｈｙｐｅｒｌａｂｅｌ版は、コンピュータツーフィルム（ＣｔＦ）、ダイレクトコンピュータツープレート（ＣｔＰ）などの従来の手段によって製作することができる。以下に記載される任意のＨｙｐｅｒｌａｂｅｌタグ２０２を、本発明に基づくインクを用いて印刷することができることが理解される。
【０２４１】
Ｈｙｐｅｒｌａｂｅｌタグは理想的には、赤外線インクなどの不可視インクを使用して印刷されるが、Ｈｙｐｅｒｌａｂｅｌタグは、着色、ブラック又はグレーインクなどの可視インクを使用して印刷することもできることに留意されたい。また、Ｈｙｐｅｒｌａｂｅｌタグは理想的には製品包装の全体に印刷されるが、Ｈｙｐｅｒｌａｂｅｌタグを特定のエリアに選択的に印刷することもできる。また、Ｈｙｐｅｒｌａｂｅｌタグは理想的には位置を指示するが、本明細書の他のセクションで説明されているように、Ｈｙｐｅｒｌａｂｅｌタグはオブジェクトを指示することもできる。
【０２４２】
アナログ印刷機を使用してＨｙｐｅｒｌａｂｅｌタグが印刷される場合、それぞれの製品アイテムの包装に固有のシリアル番号を印刷することは非現実的である。しかしながら、Ｈｙｐｅｒｌａｂｅｌタグは依然として、アイテム識別子の製品識別子部分及び通常の２次元座標格子を符号化することができる。さらに、このタグは、包装の特定のグラフィック（及び双方向）レイアウトを識別する固有のレイアウト番号を符号化しなければならない。Ｈｙｐｅｒｌａｂｅｌタグはさらに、それらのタグが、シリアル番号ではなくレイアウト番号を符号化していると、任意のＨｙｐｅｒｌａｂｅｌリーダが判定することを可能にするフラグを符号化する。レイアウト番号は、同じ製品識別子に関連付けられた異なるレイアウトに対してだけ一意的に識別可能であればよい。レイアウト番号は、図２０に示されているように、製品識別子と対をなしたときに固有のレイアウト識別子を形成する。レイアウト番号は、特定の販売促進用、特定の地域用などの新たなグラフィック包装デザインに対する新たな版が製作されたときに正確に変化する。ＣｔＰは、頻繁なレイアウト変更を特に便利にする。
【０２４３】
アナログ印刷されたＨｙｐｅｒｌａｂｅｌタグはしたがって、図２１に示されているように、アイテム識別子ではなくレイアウト識別子を符号化することができる。その後のＨｙｐｅｒｌａｂｅｌリーダを介した製品アイテムとの対話の間に、その対話が通常の方法で解釈されることを可能にする対応するレイアウトを取り出すために、レイアウト識別子が使用される。便宜上、本発明の出願人らは、このようなＨｙｐｅｒｌａｂｅｌタグを（アイテム指示Ｈｙｐｅｒｌａｂｅｌタグと区別するため）「レイアウト指示」Ｈｙｐｅｒｌａｂｅｌタグと呼び、Ｈｙｐｅｒｌａｂｅｌリーダからネットページサーバに送られるデータを「レイアウトデータ」と呼ぶ。
【０２４４】
それによってＨｙｐｅｒｌａｂｅｌリーダがその製品を識別することが可能になるため、レイアウト識別子内に製品識別子を符号化すると都合がよい。しかしながら、レイアウトは識別するが、製品は直接には識別しない純粋なレイアウト識別子を、Ｈｙｐｅｒｌａｂｅｌタグ内に符号化することも可能である。同等に、Ｈｙｐｅｒｌａｂｅｌタグ内に純粋な座標格子を符号化し、その座標の範囲を使用して、対応するレイアウトを識別することも可能である。したがって、同じグラフィック包装レイアウトを共有するすべての製品アイテムは同じ座標格子範囲を共有し、レイアウトが変更されると座標格子範囲も変更されることになる。純粋な座標格子とアイテム識別子又はレイアウト識別子と結合された座標格子との間の同等性は、相互参照に記載された特許出願で論じられている。
【０２４５】
レイアウトを指示するＨｙｐｅｒｌａｂｅｌタグは、Ｈｙｐｅｒｌａｂｅｌタグ２０２が符号化するレイアウト識別子及び座標格子、並びにＨｙｐｅｒｌａｂｅｌタグ２０２が符号化する製品識別子を介した製品の識別（製品アイテム識別ではない）を介して、通常の方法で双方向性を与えることができる。
【０２４６】
個々の製品アイテムの識別も依然として重要である。個々の製品アイテムの識別は、サプライチェーンにおいて、他のセクションで詳細に論じられる様々な利益をもたらし、様々な双方向シナリオにおいてある役割を演ずる。例えば、競技会への参加、商品券の引換えなど、一部の製品プロモーションは理想的には一度しか使用されない。
【０２４７】
さらに、そのアイテムに対して固有のデジタル署名に結合されたアイテムレベルの識別は、製品アイテムの認証を可能にする。以下の議論では、アイテム指示Ｈｙｐｅｒｌａｂｅｌタグが一般に、アイテムのデジタル署名（１つ又は複数）を通常の方法で担持する。
【０２４８】
４．８  位置指示タグと代替アイテム識別子との結合
アイテムレベル識別は、位置指示又はレイアウト指示Ｈｙｐｅｒｌａｂｅｌタグとともに様々な方法で提供することができる。例えば、位置指示又はレイアウト指示タグを、包装全体に印刷することができ、アイテム指示タグを、小さなエリアにだけ印刷することができる。巻取紙又は枚葉紙の全幅にわたってタグを印刷する必要がもはやなく、それぞれの包装の小さなエリアにだけ印刷すればよいため、こうすることには、対応するデジタルＨｙｐｅｒｌａｂｅｌプリンタを比較的に小さくすることができるという利点がある。バッチ及び期限情報を印刷するデジタルプリンタ、並びに２次元バーコードなどのアイテムレベル証印（ｉｎｄｉｃｉａ）を印刷するデジタルプリンタは既に従来の包装ワークフローの一部である。このような包装ワークフローの同様の位置に、小面積デジタルＨｙｐｅｒｌａｂｅｌプリンタを組み込むことができる。
【０２４９】
アイテムレベル識別は、従来の無線周波識別（ＲＦＩＤ）タグ２１０或いは線状又は２次元バーコード２１１（図２２及び２３）を使用して提供することができる。たとえこのような担体が包装上に存在する場合でも、アイテム指示Ｈｙｐｅｒｌａｂｅｌタグ２０２は標準Ｈｙｐｅｒｌａｂｅｌリーダによって読み取ることができるため、その上さらに、アイテム指示Ｈｙｐｅｒｌａｂｅｌタグ２０２を小さなエリアに提供したほうが都合がよいことがある。競技会への参加、商品券の引換え、アイテムの認証などアイテムレベル識別を必要とするＨｙｐｅｒｌａｂｅｌハイパーリンクは、アイテム指示Ｈｙｐｅｒｌａｂｅｌエリアにおいて実現することができる。或いは、レイアウト指示タグだけが存在する製品上のどこかほかの場所にある一度しか使用されないハイパーリンクを呼び出した後に、アイテムを識別するため、アイテム指示Ｈｙｐｅｒｌａｂｅｌエリアをクリックするようにユーザに促すことができる。
【０２５０】
アイテムレベル識別担体がＲＦＩＤタグ２１０である場合、Ｈｙｐｅｒｌａｂｅｌリーダ１０１が位置指示又はレイアウト指示Ｈｙｐｅｒｌａｂｅｌタグ２０２を読み取るのと同時に、ＲＦＩＤタグ２１０からアイテム識別子を得ることを可能にするために、Ｈｙｐｅｒｌａｂｅｌリーダ１０１はＲＦＩＤタグリーダを含むことができる。Ｈｙｐｅｒｌａｂｅｌタグ（１つ又は複数）４及びＲＦＩＤタグ２１０に含まれるデータを読み取った後、Ｈｙｐｅｒｌａｂｅｌリーダは、アイテムＩＤ及びリーダの位置を識別する「指示データ」をネットページサーバに送る。Ｈｙｐｅｒｌａｂｅｌタグ２０２が位置指示タグである場合、ネットページサーバは、指示データに含まれるアイテムＩＤからレイアウトを識別することができる。したがって、アイテムレベル識別を必要とするＨｙｐｅｒｌａｂｅｌハイパーリンクは、位置指示又はレイアウト指示Ｈｙｐｅｒｌａｂｅｌタグ２０２とＲＦＩＤタグ２１０との組合せによって実現することができる。したがって、Ｈｙｐｅｒｌａｂｅｌリーダ１０１は、Ｈｙｐｅｒｌａｂｅｌタグ２０２を感知する光学センサと、ＲＦＩＤタグを感知するＲＦＩＤトランシーバと、指示データを生成するプロセッサと、ネットページサーバと（例えば無線又は有線通信によって）通信する手段とを備えることができる。
【０２５１】
同等に、ＲＦＩＤリーダによって、ＲＦＩＤタグを有するオブジェクト又は表面との大まかな双方向性を提供することが既に可能な装置を、Ｈｙｐｅｒｌａｂｅｌリーダによって、ＲＦＩＤ及びＨｙｐｅｒｌａｂｅｌタグを有するオブジェクト又は表面とのはるかにきめの細かい双方向性をサポートすることができるように拡張することができる。
【０２５２】
アイテムレベル識別担体が可視バーコード２１１である場合、不可視アイテム指示Ｈｙｐｅｒｌａｂｅｌタグ２０２を、バーコードと同じエリアに提供することができる。これによって、たとえＨｙｐｅｒｌａｂｅｌリーダ１０１が可視（任意に大きな）バーコードを読み取ることができない可能性があっても、Ｈｙｐｅｒｌａｂｅｌリーダ１０１のユーザは、バーコードをクリックして、アイテム識別子を得ることができる。或いは又は加えて、別個のＨｙｐｅｒｌａｂｅｌインクチャネルの必要性を排除するため、バーコードの隣に、バーコードと同じ可視インクを使用してアイテム指示タグを印刷することもできる。従来のバーコードを読み取ることができるように、Ｈｙｐｅｒｌａｂｅｌリーダ１０１を拡張することもできる。
【０２５３】
ＲＦＩＤタグ又はバーコードは、アイテム指示Ｈｙｐｅｒｌａｂｅｌタグと同じアイテム識別子及びデジタル署名（１つ又は複数）を符号化することができる。
【０２５４】
ＲＦＩＤタグ２１０、バーコード２１１又はＨｙｐｅｒｌａｂｅｌタグ２０２内にアイテム識別子を明示的に符号化するのではなく、ランダムパターンを印刷し、アイテム識別子とデジタル署名の両方の働きをするように特徴付けることができる。ランダムパターン又はランダムパターンの少なくとも一部分はオブジェクトの「指紋」の役目を果たす。
【０２５５】
米国の特許出願第２００５００４５０５５号（「Ｓｅｃｕｒｉｔｙ  Ｐｒｉｎｔｉｎｇ  Ｍｅｔｈｏｄ」、２００３年８月２８日出願）において、Ｇｅｌｂａｒｔは、後の認証のために、印刷中に粉末タガント（ｐｏｗｄｅｒ  ｔａｇｇａｎｔ）を加えることを論じている。この出願の内容は参照によって本明細書に組み込まれる。他のセクションで議論されているように、このようなタガントの存在と、タガントによって形成される正確なランダムパターンの両方を、認証及びおそらくは識別の基礎として使用することができる。
【０２５６】
タガントによって形成されたランダムパターンが認証の基礎として使用されるときには、製品の製造又は包装中にそのパターンが測定され、記録され、その後の認証中に、以前の記録に関して測定され、照合される。ランダムパターンは、製品の表面全体又は表面のサブセットを覆うことができる。パターンから導き出される記録された参照データ（参照指紋）は、パターン全体又はパターンのサブセットを覆うことができる。認証中にパターンから導き出される照合データ（又は指紋データ）は一般に、パターンの小さなエリア（例えば１つの指紋）だけに関係する。したがって、照合データを参照データの正しいサブセットと比較することができるように、パターンのどのエリアが照合されているのかを知る必要がある。いくつかのシステムでは、このことが、テキスト、ラインアートなどの他の表面フィーチャ特徴を検出し、そのようなフィーチャを基準として使用することに依存する。このようなフィーチャは一般に固有ではないため、この方法は、人間のオペレータによる誘導を必要とする可能性がある。
【０２５７】
Ｈｙｐｅｒｌａｂｅｌタグ２０２は２次元座標格子を符号化するため、Ｈｙｐｅｒｌａｂｅｌタグ２０２は、参照データと照合データの両方をそれに対して登録することができる一組の固有の基準を提供する。これは、認証の信頼性を増大させ、人間による誘導の必要性を排除する。タガントは、Ｈｙｐｅｒｌａｂｅｌを印刷するために使用される赤外線インクと混合することができ、又はグラフィックユーザ情報を印刷するために使用される着色インクと混合することができる。図２４では、語「ＴＥＡ」を印刷するために使用されたインクが、ランダムに分散させたタガントを含む。或いは、赤外線インクとタガントを混合することによってタガントが付着される場合、Ｈｙｐｅｒｌａｂｅｌタグパターン４が高密度であること、及びＨｙｐｅｒｌａｂｅｌタグパターン４が（一般に）表面を完全に覆うことが、タガントも、タグを有する表面全体に密に存在することを保証する。
【０２５８】
タガントによって形成されるランダムパターンを、タグを有する表面全体を横切って測定することができるが、少なくとも、画定された領域内でランダムパターンを測定することができる。この領域が、アイテムレベル識別及び／又は認証を獲得できる場所であることをユーザに指示するために、この領域の輪郭をグラフィックで描くことができる。
【０２５９】
ランダムパターンが包装ラインを通過するときに、包装がまだ巻取紙又は枚葉紙上にある間に、或いは個々の包装が折りたたまれ又は詰められた後で、製品包装ごとにランダムパターンを特徴付けることができる。この段階で、ランダムパターンの空間的性質が分析され、一組の空間フィーチャとして又はこのような空間フィーチャのハッシュとして記録される。例えば、ランダムパターン内の検出されたそれぞれのフィーチャに、Ｈｙｐｅｒｌａｂｅｌ座標系内の量子化された２次元座標を割り当てることができ、量子化された一組の座標をハッシュして、単一のコンパクトな番号を生成することができる。次いで、照合は、等価なハッシュを生成し、それを参照ハッシュと比較することからなる。
【０２６０】
Ｈｙｐｅｒｌａｂｅｌリーダ１０１は、タガントによって形成されたランダムパターンを読み取るリーダを含むことができる。タガントが光学的に読み取られる場合、Ｈｙｐｅｒｌａｂｅｌリーダのイメージセンサを使用して、タガントパターンを読み取ることができる。タガントが、Ｈｙｐｅｒｌａｂｅｌタグパターンとは異なる波長を使用する場合、Ｈｙｐｅｒｌａｂｅｌリーダ１０１は、Ｈｙｐｅｒｌａｂｅｌタグパターンの波長に整合させたＬＥＤと、タガントの波長に整合させたＬＥＤとを交互に活動化させることができる。Ｈｙｐｅｒｌａｂｅｌタグパターンよりも大きな倍率でタガントを画像化する必要がある場合、Ｈｙｐｅｒｌａｂｅｌリーダは、このより大きな倍率で常に画像化し、Ｈｙｐｅｒｌａｂｅｌタグ画像を処理するときにはサブサンプリングすることができ、又は任意選択で単一の外部開口を可能にするためにビームスプリッタを使用して、２重光学経路を組み込むことができる。
【０２６１】
明示のアイテムレベル識別子が（例えばＲＦＩＤタグ２１０、バーコード２１１又はＨｙｐｅｒｌａｂｅｌタグ２０２から）獲得できない場合には、参照データ（例えばハッシュ）がアイテム識別子の役目も果たすことができる。製品アイテムには、製造時に標準アイテム識別子が割り当てられ、標準アイテム識別子は、参照データによってキーされた製品データベースに記憶され、続いて、識別又は照合のために、データベースを調べるキーとして照合データ（例えばハッシュ）を使用して、標準アイテム識別子を回復することができる。
【０２６２】
製品識別子を符号化したレイアウト指示Ｈｙｐｅｒｌａｂｅｌタグが存在するとき、ランダムパターンは、シリアル番号にマップするだけでよく、アイテム識別子全体にマップする必要はない。
【０２６３】
順番に並べられた製品アイテムは、一般に製品識別子とシリアル番号とからなる固有のアイテム識別子を担持する。製品アイテムはアイテムＩＤをいくつかの方法で担持することができる。例えば、アイテムＩＤは、線状又は２次元バーコード２１１、ＲＦＩＤタグ２１０或いはＨｙｐｅｒｌａｂｅｌタグパターン４内に含めることができる。製品アイテムはさらに、そのアイテムが本物であることをある程度確実にリーダが照合することを可能にする、アイテムＩＤに関連付けられたデジタル署名を担持することができる。
【０２６４】
以上に説明したＨｙｐｅｒｌａｂｅｌタグ２０２はいずれも、本発明に基づくインクを用いて印刷することができることが理解される。
【実施例】
【０２６５】
本出願の出願人らの以前の出願ＩＲＢ０１１ＵＳ、ＩＲＢ０１７ＵＳ及びＩＲＢ０１８ＵＳ（これらの出願の内容は参照によって本明細書に組み込まれる）で、本出願の出願人らは、ガリウムナフタロシアニンテトラスルホン酸の様々な塩の調製について記載した。本発明のホスホニウム塩は、対応するスルホン酸から従来の方法によって容易に調製することができることを、当業者は容易に理解するであろう。
【０２６６】
調製例１−ヒドロキシガリウムナフタロシアニンテトラスルホン酸４の調製
【化２】
2010506962.tif 000005
【０２６７】
（ｉ）緩慢な窒素ストリーム下で、塩化ガリウム（ＩＩＩ）（５．７０ｇ、０．０３２モル）を無水トルエン（６８ｍｌ）に溶解し、次いで、その結果得られた溶液を氷／水中で冷却した。ナトリウムメトキシド（２５％メタノール溶液、２３．４ｍｌ）を攪拌しながらゆっくりと加え、濃厚な白色沈殿を形成させた。この添加の完了後、この混合物を室温で１時間攪拌し、次いで、ナフタレン−２，３−ジカルボニトリル（２２．８ｇ、０．１２８モル）を数回に分けて加え、続いてトリエチレングリコールモノメチルエーテル（６５ｍｌ）を加えた。この濃スラリを２時間蒸留して、メタノール及びトルエンを除去した。トルエンが除去されると、反応混合物は均質となり、粘度が低下し、容易に攪拌された。１９０℃（内部）で３時間熱した。この褐色／黒色の反応混合物を６０℃まで冷却し、クロロホルム（１５０ｍｌ）で希釈し、焼結ガラス漏斗で重力によってろ過した。固体残留物を別のクロロホルム（５０ｍｌ）で洗浄し、次いでさらに別のクロロホルム（５０ｍｌ）を加え、減圧下で吸引ろ過した。次いで、その結果得られた濃緑色の固体を、アセトン（２×５０ｍｌ）、ＤＭＦ（２×５０ｍｌ）、水（２×５０ｍｌ）、アセトン（２×５０ｍｌ）及びジエチルエーテル（２×５０ｍｌ）を順番に用いて減圧下で洗浄した。湿った固体を風乾して乾燥粉末とし、次いで、高真空下で約１００℃、１時間加熱して、乾燥過程を完了させた。ナフタロシアニナトガリウムメトキシトリエチレンオキシド３が、微細な濃緑色粉末（２３．１４ｇ、８０％）として得られた。λｍａｘ（ＮＭＰ）７７０ｎｍ。
【０２６８】
（ＩＩ）ナフタロシアニナトガリウムメトキシトリエチレンオキシド３（９．３８ｇ、０．０１０モル）を、窒素雰囲気下の氷／水浴中で冷却しながら滴下漏斗によって３０％発煙硫酸（４７ｍｌ）をゆっくりと加えることによって処理した。この添加の完了後、反応混合物を予め５５℃に加熱された水浴に移し、この温度で２時間攪拌した。この間に、混合物は、均質な粘性の濃青色溶液となった。攪拌した反応混合物を氷／水浴中で冷却し、次いで２−プロパノール（４０ｍｌ）を滴下漏斗によってゆっくりと加えた。この混合物を次いで２−プロパノール（１００ｍｌ）に注ぎ入れ、別の２−プロパノール（１６０ｍｌ）を使用して反応フラスコの残留物を洗い流した。この混合物にジエチルエーテル（１００ｍｌ）を加え、次いでこれを焼結ガラス漏斗に移し、重力によってろ過して、湿った暗褐色の固体と、黄／褐色の濾液とを得た。この固体を、エーテル（５０ｍｌ）、アセトン／エーテル（１：１、１００ｍｌ）及びエーテル（１００  ｍｌ）を順番に用いて減圧吸引下で洗浄した。高真空下での乾燥の後に得られた固体（１３．４ｇ）を次いで、エタノール／エーテル（１：３、１００ｍｌ）中で３日間攪拌し、次いでろ過、乾燥して、テトラスルホン酸４を、微細な赤／褐色固体（１２．２ｇ、理論収量の１０５％、電位差滴定法による純度９０％）として得た。１Ｈ  ＮＭＲ（ｄ６−ＤＭＳＯ）δ７．９７、８．００（４Ｈ、ｄｄ、Ｊ７、８＝Ｊ７、６＝７．２Ｈｚ、Ｈ７）；８．４９（４Ｈ、ｄｄ、Ｊ８、７＝７．２、Ｊ８、１＝５．７Ｈｚ、Ｈ８）；８．８４、８．９８（４Ｈ、ｄ、Ｊ６、７＝７．２Ｈｚ、Ｈ６）；１０．１０、１０．１９、１０．２５（４Ｈ、ｄ、Ｊ１、８＝５．７Ｈｚ、Ｈ１）；１１．１３、１１．１６（４Ｈ、ｓ、Ｈ４）。
【０２６９】
実施例１−テトラキス（トリヘキシルテトラデシルホスホニウム）塩５の調製
【化３】
2010506962.tif 000006
【０２７０】
ヒドロキシガリウム（ＩＩＩ）ナフタロシアニンテトラスルホン酸（２９．１ｇ、０．０２６モル）を水（５０ｍｌ）及びメタノール（３５０ｍｌ）に溶解した溶液に、トリヘキシルテトラデシルホスホニウムクロリド（５０．０ｇ、０．０９６モル）をメタノール（５０ｍｌ）に溶解した溶液を加えた。この溶液を半分の体積まで濃縮し、濃縮溶液を水（１００ｍｌ）で希釈して、生成物を沈殿させた。このホスホニウム塩を瀘別し、温アセトン／水（５０：５０、２×３００ｍｌ）及び温水（２×３００ｍｌ）で洗浄し、風乾した。次いで固体を沸騰ヘキサン（２×３００ｍｌ）で洗浄し、乾燥させて、生成物５を濃緑色粉末（６３．１ｇ、８６％）として得た。
１Ｈ  ＮＭＲ（ｄ６−ＤＭＳＯ）：δ０．８５（４８Ｈ、ｍ）；１．０〜１．５（１９２Ｈ、ｍ）；１．９０（３２Ｈ、ｍ）；７．９〜１１．１（２０Ｈ、ｍ）。
ＵＶ−Ｖｉｓ−ＮＩＲ（ＤＭＳＯ）：λｍａｘ７９５ｎｍ（ε＝３６５、０００）；７５６ｎｍ（ｓ＝５９、０００）；７０６ｎｍ（ε＝６５、０００）；３４１ｎｍ（ε＝１０２、０００）。
ＵＶ−Ｖｉｓ−ＮＩＲ（ＣＨＣｌ３）：λｍａｘ７９０ｎｍ（λ＝８７，０００）；３３３ｎｍ（ε＝８５、０００）。
【０２７１】
比較例１−ヘキサデシルオキシガリウム（ＩＩＩ）ナフタロシアニン６の調製
【化４】
2010506962.tif 000007
【０２７２】
塩化ガリウム（ＩＩＩ）（３．６８ｇ、０．０２０６モル）を無水トルエン（３０ｍｌ）に溶解した溶液に、ナトリウムメトキシドのメタノール溶液（２５％、１４．５ｍｌ＝３．６３ｇ、０．０６７モル）を一滴ずつ加えて無色の沈殿物を得た。２，３−ナフタレンジニトリル（１４．６ｇ、０．０８２０モル、３．９８当量）、１−ヘキサデカノール（２６．８ｇ、０．１１モル）及び１，２−ジクロロベンゼン（７５ｍｌ）を加え、メタノール及びトルエンを蒸留除去するために、反応混合物を加熱した。内部温度を１７０℃まで上昇させ、一晩、加熱し続けた。ジクロロベンゼン約２０ｍｌを蒸留するために、温度を上昇させた。反応混合物を冷却し、アセトン（１００ｍｌ）で希釈し、生成物をろ過によって集めた。固体をアセトン、水及びアセトンで洗浄し、風乾して、生成物６を濃緑色の粉末（８５％、１７．８５ｇ）として得た。
１Ｈ  ＮＭＲ（ｄ６−ＤＭＳＯ）：δ０．８６（３Ｈ、ｍ）；１．１５〜１．２５（２９Ｈ、ｍ）；８．０５（８Ｈ、ｍ）；８．８５（８Ｈ、ｍ）；１０．１５（８Ｈ、ｍ）。
ＵＶ−Ｖｉｓ−ＮＩＲ（ＮＭＰ、５．１７６×１０−６Ｍ）：λｍａｘ７７０ｎｍ（ε＝２７７、０００）；６９０ｎｍ（ε＝５１、０００）；３３８ｎｍ（ε＝９５、０００）。
【０２７３】
実施例２−ホスホニウム塩５を含むインク製剤
ホスホニウム塩５を、市販オフセットインクビヒクルＭａｔｒｉｘ  ＥＣＯ  ＰＭＳ  Ｔｒａｎｓ  Ｗｈｉｔｅ（ＤＩＣ  Ｃｏｌｏｒｔｒｏｎ  Ｐｔｙ  Ｌｔｄ社、カタログ番号ＭＸ６０１０／１）に、３％ｗ／ｗで調合した。その結果得られたインクを普通紙に見本（ｓｗａｔｃｈ）として印刷し、直射日光及びオフィスの大気汚染物にさらした。図２６は、様々な時間における見本の反射率スペクトルを示す。
【０２７４】
比較例２−ヘキサデシルオキシガリウム（ＩＩＩ）ナフタロシアニン６を含むインク製剤
比較のため、ナフタロシアニン６を、同じオフセットインクビヒクルＭａｔｒｉｘ  ＥＣＯ  ＰＭＳ  Ｔｒａｎｓ  Ｗｈｉｔｅ（ＤＩＣ  Ｃｏｌｏｒｔｒｏｎ  Ｐｔｙ  Ｌｔｄ社、カタログ番号ＭＸ６０１０／１）に、３％ｗ／ｗで調合した。その結果得られたインクを普通紙に見本として印刷した。図２７は、この見本の反射率スペクトルを示す。
【０２７５】
図２６と２７を比較すると、ホスホニウム塩５が、ナフタロシアニン６に比べて、よりシャープで、赤色側へよりシフトしたＱバンドを示すことが分かる。この赤色側へのシフト及びよりシャープなＱバンドは、ホスホニウムカチオンがπ−πスタッキングを妨害した結果として、ホスホニウム塩５により多くのモノマー成分が存在するためと考えられる。これらのスペクトルは、紙に印刷されたときにホスホニウム塩５がナフタロシアニン６よりもかなり見えにくいという観察と一致する。
【図１】
2010506962.tif 000010
【図２】
2010506962.tif 000011
【図３】
2010506962.tif 000012
【図４】
2010506962.tif 000013
【図５ａ】
2010506962.tif 000014
【図５ｂ】
2010506962.tif 000015
【図５ｃ】
2010506962.tif 000016
【図５ｄ】
2010506962.tif 000017
【図６】
2010506962.tif 000018
【図７】
2010506962.tif 000019
【図８】
2010506962.tif 000020
【図９】
2010506962.tif 000021
【図１０】
2010506962.tif 000022
【図１０ａ】
2010506962.tif 000023
【図１１】
2010506962.tif 000024
【図１２】
2010506962.tif 000025
【図１３】
2010506962.tif 000026
【図１４】
2010506962.tif 000027
【図１６】
2010506962.tif 000028
【図１７（ａ）】
2010506962.tif 000029
【図１７（ｂ）】
2010506962.tif 000030
【図１７（ｃ）】
2010506962.tif 000031
【図１８】
2010506962.tif 000032
【図１９】
2010506962.tif 000033
【図２０】
2010506962.tif 000034
【図２１】
2010506962.tif 000035
【図２２】
2010506962.tif 000036
【図２３】
2010506962.tif 000037
【図２４】
2010506962.tif 000038
【図２５】
2010506962.tif 000039
【図２６】
2010506962.tif 000040
【図２７】
2010506962.tif 000041
【図１５】
2010506962.tif 000042
【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
溶剤ベース又は油ベースのインクビヒクルに調合するのに適したＩＲ吸収性フタロシアニン染料であって、前記フタロシアニンが１つ又は複数のスルホン酸基を含み、少なくとも１つのスルホン酸基の対イオンがホスホニウムカチオンである染料。
【請求項２】
ナフタロシアニンである、請求項１に記載の染料。
【請求項３】
前記ホスホニウムカチオン又はそれぞれの前記ホスホニウムカチオンが式：Ｐ＋（Ｒｍ）（Ｒｎ）（Ｒｓ）（Ｒｔ）を有し、Ｒｍ、Ｒｎ、Ｒｓ及びＲｔがそれぞれ独立に、Ｃ１〜３０アルキル、Ｃ５〜１２アリール及びＣ５〜３０アリールアルキルから選択された、請求項１に記載の染料。
【請求項４】
Ｒｍ、Ｒｎ、Ｒｓ及びＲｔのうちの少なくとも１つが５つ以上の炭素原子を含む、請求項３に記載の染料。
【請求項５】
式（１）を有する請求項１に記載の染料であって、
【化１】
2010506962.tif 000043
ＭがＧａ（Ａ１）、
Ａ１が、−ＯＨ、ハロゲン、−ＯＲ３、−ＯＣ（Ｏ）Ｒ４又は−Ｏ（ＣＨ２ＣＨ２Ｏ）ｅＲｅから選択されたアキシアル配位子であり、ｅが２から１０までの整数、Ｒｅが、Ｈ、Ｃ１〜８アルキル又はＣ（Ｏ）Ｃ１〜８アルキルであり、
Ｒ１及びＲ２が互いに同じでも又は異なっていてもよく、水素又はＣ１〜１２アルコキシから選択され、
Ｒ３が、Ｃ１〜１２アルキル、Ｃ５〜１２アリール、Ｃ５〜１２アリールアルキル又はＳｉ（Ｒｘ）（Ｒｙ）（Ｒｚ）から選択され、
Ｒ４が、Ｃ１〜１２アルキル、Ｃ５〜１２アリール又はＣ５〜１２アリールアルキルから選択され、
Ｒｘ、Ｒｙ及びＲｚが互いに同じでも又は異なっていてもよく、Ｃ１〜１２アルキル、Ｃ５〜１２アリール、Ｃ５〜１２アリールアルキル、Ｃ１〜１２アルコキシ、Ｃ５〜１２アリールオキシ又はＣ５〜１２アリールアルコキシから選択され、
Ｚ＋がホスホニウムカチオンである
染料。
【国際調査報告】
2010506962.tif 000044
2010506962.tif 000045